(57)【特許請求の範囲】
【請求項１】
遊技者の操作により遊技媒体が打ち込まれる遊技領域、
略円形の開口を有し該開口内に前記遊技媒体を案内する誘導部材を備えた前構成部材、
及び、前面側に該前構成部材が取り付けられると共に適宜形状の貫通口を複数有した板状の遊技盤ベースを備えた遊技盤と、
該遊技盤ベースの前記貫通口を覆うように、前記遊技盤ベースの前面側に取り付けられる主役物と、
該主役物と対応し前記遊技盤ベースの後面側に取り付けられる後装飾体と、
該後装飾体の後方に配置される演出表示装置と、を備える遊技機であって、
前記後装飾体は、該後装飾体に備えられ移動可能な可動体を有し、
前記可動体は、基板上に取り付けられた、複数種類の色の光を投光可能なＬＥＤからなる発光手段、
該発光手段から投光される、光の三原色のうちの何れか一つのみからなる第一色の光だけが透過することで、第一表示態様を呈する第一透過手段、
該第一透過手段と同一面上に配置され、且つ前記第一透過手段に対して一部が重複するように配置され、該重複する重複部は、前記第一色を除く他の光の三原色の何れか一方の色である第二色の光および前記第一色の光が透過し、該重複部以外は該第二色の光のみが透過することで第二表示態様を呈する第二透過手段、
及び、前記基板の裏面に備えられた黒色塗料または黒色フィルムであって、前記第一透過手段及び前記第二透過手段に対して前記発光手段の配置される側から、前記発光手段から投光される光以外の色の光が前記第一透過手段及び前記第二透過手段に照射されるのを防止する遮光手段を備えた光学表示装置、を具備し、
前記演出表示装置で表示される表示内容と関連付けて前記光学表示装置の表示態様を表示し、
前記光学表示装置は遊技者から視認可能な状態と視認不可能な状態とが切り替えられて配置され、
前記第一透過手段及び前記第二透過手段は前記遮光手段と同一面上に形成され、遊技者側から前記発光手段が視認し難くされていることを特徴とする遊技機。
【発明の詳細な説明】
【技術分野】
【０００１】
本発明は、ぱちんこ遊技機（一般的に「パチンコ機」とも称する）や回胴式遊技機（一般に「パチスロ機」とも称する）等の遊技機に関するものであり、特に、発光手段を用いて演出表示を行わせる遊技機に関するものである。
【背景技術】
【０００２】
従来、ＬＥＤ等の発光手段を内蔵した装飾ランプを具備する遊技機が知られている。例えば、所望の模様形状を象ったレンズ部材を備え、発光手段を用いてレンズ部材を後方より照射し、当該模様形状を点灯・点滅させて表現するよう構成された装飾ランプなどがある。また、特許文献１に示すように、発光手段の前方にカラーフィルム等の有色の部材を配置して光を照射させることで、当該模様形状に各種の色を着色して表現する装飾ランプも知られている。
【先行技術文献】
【特許文献】
【０００３】
【特許文献１】特開２００４−３２９２３０号公報
【発明の概要】
【発明が解決しようとする課題】
【０００４】
しかし、上記の遊技機では、表現される模様形状を点灯・点滅を変化させたり、色を変化させることはできるものの、表現される模様の形状を変化させるためには、前記レンズ部材や有色の部材を交換する必要があった。このため、簡単には形状を変化させることができず、単調な印象を与える虞があった。特に、所望の模様形状を象ったレンズ部材が遊技者に対して視認可能に設置されている場合は、表現される模様が当該レンズ部材を通して簡単に推察されてしまうため極めて単調な印象を与えがちであり、遊技者が早々に遊技に飽きてしまうことで興趣を低下させてしまう虞があった。
【０００５】
そこで、本発明は、上記の実状に鑑み、レンズ部材を交換することなく表示態様を変化させ、遊技者の興趣の低下を防止することができる遊技機の提供を課題とするものである。
【課題を解決するための手段】
【０００６】
手段１：「遊技機において、
複数種類の色の光を投光可能な発光手段から投光される光の色に対応して、表示態様を様々に異ならせるセグメント型の光学表示装置であって、
前記発光手段から投光される第一色の光のみが透過することで、第一表示態様を呈する第一透過手段と、
前記第一色とは異なる色の第二色の光のみが透過することで、第二表示態様を呈する第二透過手段と
を少なくとも具備する光学表示装置
を備える」ものであることを特徴とする。
【０００７】
ここで、「複数種類の色」としては、赤・緑・青の光の三原色のうち何れか（もしくは何れも）であっても良いし、これらのうち何れか（若しくは何れも）を混合させた中間色であっても良い。また、「発光手段」としては、具体的な構成を何ら限定するものではないが、「白熱電灯」、「電球」、「蛍光灯」、「ＬＥＤ」、「ネオン灯」、「水銀灯」、「ナトリュウム灯」、等を例示することができる。さらに、「表示態様」としては、どのような模様・形状・図形であっても良く、文字、絵、数字、キャラクタなどの図柄も含まれる。
【０００８】
また、「セグメント型」とは、所定の形状を点灯・点滅させて表示させる型のディスプレイ方式を示すものであり、複数の点（ドット）をマトリクス状に組み合わせて表示させる「ドットマトリクス型」のディスプレイ方式とは異なるものであることを示す。
【０００９】
さらに、「第一色」と「第二色」とは、互いに異なる色であれば特に限定されるものではなく、光の三原色であっても良いし、中間色であっても構わない。例えば、白・黒・灰色の所謂無彩色であっても良いし、赤・緑・青等の有彩色であっても良い。なお、発光手段、つまり光を使って色を表現するものであるから、全ての中間色は、赤・緑・青の何れか（若しくは何れも）を混色させることで表現され得る。つまり、「第一色」が「第二色」の色の光を全て含む場合もあるし、その逆もまたあり得るが、要するに、「第一色」と「第二色」とが異なる色であれば、どのような相関関係であっても構わない。同様にして、「第一表示態様」と「第二表示態様」とは、互いに異なる表示態様であれば何ら限定されるものではない。例えば、互いに全く異なる形状の模様や図柄を表示するものであっても構わないし、同じ形状の模様を別個の場所に夫々表示するものであっても構わない。
【００１０】
また、「第一透過手段」及び「第二透過手段」としては、所定の光のみを透過する（フィルタリングする）ことができるものであれば何ら限定されるものではないが、例えば、公知のカラーフィルタなどが適用可能である。さらに、「第一透過手段」及び「第二透過手段」の配置方法としては、何ら限定されるものではなく、同一面上に配置されるものであっても良いし、（遊技者から見て）前後方向に配置位置を異ならせるものであっても良い。また、夫々独立して（つまり隣接・重複する部位なく）配置しても良いし、一部または全部を重複させて配置しても良い。要するに、互いに異なる二つの表示態様「第一表示態様」及び「第二表示態様」を表示することができるものであれば、如何なるものであっても良い。但し、同一位置に同一形状の模様形状を、単に「消灯」または「点灯」することによって表示態様を異ならせるのではなく、二種類以上の模様形状を明確に識別できる表示態様であることが好ましい。
【００１１】
従って、手段１の構成によれば、複数種類の色の光を投光可能な発光手段から投光される光の色に対応して、表示態様が様々に変化するセグメント型の光学表示装置が具備されている。これにより、遊技者に単調な印象を与えず見飽き難くすることができ、遊技者の興趣の低下を防止することができる。
【００１２】
なお、手段１の構成によれば、発光手段の色を変えるだけで表示態様を変化させることができるが、この時、表示態様の背景となる部分を表示態様の色と同色系のものを適用することで、非発光時において、比較的簡易に表示態様の形状を分かり難くすることができる。従って、所望の模様形状を象ったレンズ部材を用いる従来の装飾ランプとは異なり、表示態様の変化に対する予測を困難にすることができ、極めて効果的に単調な印象を払拭することができる。
【００１３】
ところで、発光手段の色の種類を変えるだけで、異なる表示態様を呈することのできる光学表示装置として、例えば有機ＥＬ表示装置や無機ＥＬ表示装置、プラズマ表示装置、ＶＦＤパネル、フィールドエミッションディスプレイ、またはＣＲＴ等のドットマトリクス型表示装置が知られている。また、同じくドットマトリクス型ディスプレイとして、発光手段（所謂バックライト）の色は一定とし、カラーフィルタと液晶とを用いて色毎の光の透過率を変化させる液晶表示装置（以下、単に「ＬＣＤ」と云う）なども知られている。これらの光学表示装置を用いると、発光手段（画素）の色を変えることで、表示態様を異ならせることができるが、これらの装置は比較的多数の電源装置や信号配線を接続する必要があり、装置が大掛かり且つ可動困難なものとなる場合が多かった。
【００１４】
これに対し、本発明では、発光手段の色を異ならせるだけで表示態様を変化させることができるセグメント型の光学表示装置であるため、極めてシンプル且つ小型に構成することが容易である。このため、遊技機に配置される各種部材（例えば役物や装飾部材等）に取り付けたり、他の大型の光学表示装置と組み合わせて使用するなど多様な適用形態を採り得るため、よりバラエティに富む演出を行い得る遊技機を提供できる。
【００１５】
手段２：「手段１の構成において、
前記発光手段から投光される前記第一色の光は、光の三原色のうちの何れか一つのみからなる」ことを特徴とする。
【００１６】
従って、手段２の構成によれば、手段２の構成に加え、第一色は、光の三原色、つまり赤・緑・青のうちの何れか一つのみからなる。これにより、第一色に対応して表示される第一表示態様は、前記三原色のうちの何れか一つによる単色表示となるため、表示される内容（模様、図柄等）を直感的に把握しやすく好適である。
【００１７】
この点を、より具体的に説明する。例えば、第一表示態様が、青色の光のみを透過する透過部と、緑色の光のみを透過する透過部とから構成される表示態様であった場合を想定する。ここで、発光手段から、青色と緑色とを混合した色の光（所謂「シアン（水）色」）を投光すると、これに対応して、緑色のみ透過する透過部と、青色のみ透過する透過部とが夫々発光して表示される。しかし、このような状態では、提示された情報が緑色の部分なのか、青色の部分なのか、それとも双方を合成した模様から構成される情報なのかを判別する必要が生じ、直感的に、表示態様全体を把握することが難しい場合が考えられる。特に、本発明のように、セグメント型の光学表示装置を遊技機に備えた場合は、動画や多量の文字情報よりも、比較的簡単な数字や図柄など、直感的に把握しやすいシンプルな図柄等を表示させる場合により適している。この実情に鑑み、手段３の構成によれば、第一色に対応して表示される第一表示態様は、光の三原色のうちの何れか一つによる単色表示となるため、表示された情報を一瞬にして把握することが容易となる。従って、遊技者の遊技に対する集中力を削がせること無く、且つ効果的な表示を行うことが可能となる。
【００１８】
手段３：「手段２の構成において、
前記発光手段から投光される前記第二色の光は、前記第一色を除く他の光の三原色の何れか一方からなる」ことを特徴とする。
【００１９】
従って、手段３の構成によれば、手段２の構成に加え、さらに第二色の光が、第一色を除く他の光の三原色の何れか一方からなるものとする。これにより、第一表示態様のみならず、第二色に対応して表示される第二表示態様もまた前記三原色のうちの何れか一つによる単色表示となるため、第二表示態様によって表示される内容（模様、図柄等）を直感的に把握しやすく好適である。
【００２０】
手段４：「手段３の構成において、
前記発光手段から投光される第三色の光のみが透過することで、第三表示態様を呈する第三透過手段をさらに具備し、
前記発光手段から投光される前記第三色の光は、前記第一色及び前記第二色を除く他の光の三原色の何れか一つからなる」ことを特徴とする。
【００２１】
従って、手段４の構成によれば、手段３の構成に加え、さらに第三表示態様を呈する第三透過手段を具備する。そして、発光手段から投光される第三色の光は、第一色及び第二色を除く他の光の三原色の何れか一つからなる。例えば、第一色が赤、第二色が緑であった場合は、第三色は青色の光が投光される。これにより、第一表示態様、第二表示態様、及び第三表示態様が光の三原色のうちの互いに異なる一色のみで表示されるため、夫々の表示内容を瞬時に把握しやすい形で提供できるためより好適である。
【００２２】
手段５：手段１乃至手段５の構成において、
前記光学表示装置は、前記第一透過手段及び前記第二透過手段に対して前記発光手段の配置される側から、該発光手段から投光される光以外の光が前記第一透過手段及び前記第二透過手段に照射されるのを防止する遮光手段
をさらに具備することを特徴とする。
【００２３】
ここで、「遮光手段」としては、光を吸収・反射または当該光学表示装置を見る者（遊技者等）の視角に応じて光路を制限するものであれば良く、例えば、着色された有機系樹脂やＴａ、Ｔｉ、Ｗ、Ｍｏ、Ｃｒ、及びＮｉ等、適宜な金属の酸化膜からなる所謂ブラックマトリクス、マイクロレンズアレイ、または光学ミラー等が挙げられる。また、「遮光手段」を配置する場所としては、「第一透過手段及び第二透過手段の配置される側から、発光手段から投光される光以外の光が第一透過手段及び第二透過手段に照射されるのを防止する」ことができるものであれば良く、例えば、発光手段の後方、発光手段と透過手段（第一透過手段及び第二透過手段）との間、発光手段と透過手段との周囲を囲い込むＢＯＸ型、及び発光手段や透過手段が備えられた基板の裏面側に遮光性の膜をコーティングする、等の配置方法が挙げられる。さらに、「発光手段から投光される光以外の光」とは、例えばＬＣＤ等の他のディスプレイ装置から照射される光や、遊技機の外から入射した太陽光や照明器具等の光が遊技機内で乱反射したもの、等が挙げられる。
【００２４】
従って、手段５の構成によれば、遮光手段がさらに具備されていることにより、発光手段から投光される光以外の光が、発光手段の配置される側から透過手段（第一透過手段及び第二透過手段等）に照射されるのを防止することができる。例えば、ＬＣＤ等の他のディスプレイ装置の前面に、本発明の光学表示装置を設置した場合を想定する。この場合、当該他のディスプレイ装置より照射される各種の色の光が、発光手段の配置される側から第一透過手段及び第二透過手段に投光されるため、所望のタイミングや配色で、第一表示態様または第二表示態様などを表示できない虞が生じる。具体的には、第一表示態様のみを表示させたい時に、第二表示態様が重複して表示される場合などが考えられる。しかし、手段５の構成によれば、さらに遮光手段が備えられているため、発光手段から投光される光以外の光が透過手段に投光されるのを防止することが可能となる。これにより、各表示態様を、所望のタイミングや配色で制御することが容易となり、より実用的な光学表示装置を具備した遊技機を提供できる。
【００２５】
手段６：「手段１乃至手段５の構成において、
前記第一透過手段及び前記第二透過手段が重複して配置された場合は、該重複した重複部は、少なくとも前記第一色及び前記第二色の光を夫々透過可能に構成されている」ことを特徴とする。
【００２６】
ここで、「重複して」とは、第一透過手段（または第二透過手段）が第二透過手段（または第一透過手段）に対して全部重複する場合であっても良いし、一部が互いに重複する場合であっても構わない。また、「少なくとも前記第一色及び前記第二色の光を夫々透過可能に」とは、第一色及び第二色のみを透過するものであっても良いし、これ以外の色をさらに透過するものであっても良い。
【００２７】
ところで、第一透過手段は、第一色のみを透過し、第二透過手段は、第二色のみを透過する。この状態において、第一透過手段と第二透過手段とを重複して配置した場合、当該重複部は、第一色及び第二色の双方を透過しない場合が考え得る。何故ならば、発光手段から第一色を投光すると、第二透過手段により第一色がブロックされ、第二色を投光すると、第二色がブロックされるからである。これにより、第一表示態様または第二表示態様の何れか一方（若しくは双方）のうち、重複部の色が欠けて正常に表示されない場合が考え得る。しかし、手段６の構成によれば、第一透過手段及び第二透過手段との重複部は、第一色及び第二色の光を夫々透過可能に構成されている。従って、重複部の色が欠けることが無く、夫々の表示態様を所望の色及び形態で表示することが可能となる。
【００２８】
手段７：「手段６の構成において、
前記第一透過手段及び前記第二透過手段は、同一面上に形成された一つの光学表示部材で構成されている」ことを特徴とする。
【００２９】
一方、第一透過手段及び第二透過手段の配置方法としては、別個の面上に形成された二枚の部材（第一透過手段を具備する第一部材及び第二透過手段を具備する第二部材）を重ね合わせて配置する方法が採り得るが、手段６の構成のように、同一面上に、すなわち一枚の部材上に二つの透過手段（第一透過手段及び第二透過手段）を並べて（または一部を重複させて）配置する方法も採り得る。しかし、手段６の構成を採用すると、二枚の部材を重ね合わせる場合に比べて光学表示装置全体の厚みを薄くコンパクトにすることができ、実装の自由度が向上するためより好適である。
【００３０】
また、前述のように二枚の透過手段を重ね合わせて配置した場合は、発光手段から照射される光量が減衰し（つまり透過率が下がり）、比較的暗い表示になりがちである。この問題を回避するためには、発光手段からの光量を増大させる必要が生じ、光学表示装置の消費電力が増大したり、寿命が縮まる（使用耐年数が下がる）ため好適ではなかった。これに対し、手段６の構成によれば、同一面上に二つの透過手段を形成するから透過率の減少を低減することができ、鮮明で長寿命な表示を行い得る遊技機を提供することができる。
【００３１】
なお、前述の二つの透過手段を同一面上に形成する方法としては、例えば、二つの透過手段を貼り合せて形成する、樹脂の射出成形技術の一つである多色成形技術を適用する、カラー印刷技術を適用する、等の方法が挙げられる。
【００３２】
手段８：手段１乃至手段７の何れか一つの構成において、
前記発光手段は、ＬＥＤからなるものであることを特徴とする。
【００３３】
従って、手段８の構成によれば、発光手段がＬＥＤから構成されている。このため、白熱灯や蛍光灯等の他の発光手段を用いる場合に比べて色の指向性が高く（つまり色の純度が高く）、目的の配色に添った鮮明な表示態様を表現することが可能となる。具体的に説明すると、例えば白熱灯から照射される光は、一般的に長波長の成分（赤に近い色の成分）が多いが、その他青や緑の色の光も全て含んでいる。従って、例えば第一色が赤で、第二色が青であった場合を想定すると、第一表示態様を表示させようとして投光した結果、第二表示態様も僅かに表示される場合などが発生し得る。これにより、所望の表示態様（前述の例では第一表示態様）の境界がはっきりとせず、遊技者などが認識しにくく感じる虞があった。
【００３４】
これに対し、手段８の構成によれば、発光手段がＬＥＤから構成されているため、所望の色以外の波長の光が比較的少なく、鮮明な表示態様を採ることが可能となる。従って、遊技者の興趣を効果的に惹き付けることのできる遊技機を提供することができる。また、白熱灯や蛍光灯などの発光手段に比べ、低消費電力で熱を持ちにくいことから、より長寿命で経済的な光学表示装置を具備した遊技機を提供できる。さらに、発光手段として表面実装型のＬＥＤを適用すれば、光学表示装置をより一層薄型化・軽量化することができ好適である。また、発光手段として、有機ＥＬを用いたＬＥＤを使用すれば、より薄型化できるばかりではなく面発光が可能となり、より鮮明な表示態様を表示することが可能となる。また、小型化に適していることから、可動体に備えて光学表示装置ごと移動させることも容易であり、この場合、単なる点灯・点滅状態のみならず表示態様が変化する華やかな可動体を提供することができ、これまでに無い演出を行うことが可能となる。従って、より遊技者の興趣や注目度を集める遊技機を提供することができる。
【００３５】
手段９：「手段１乃至手段８の何れか一つの構成において、
遊技者の操作により遊技媒体が打ち込まれる遊技領域を有した遊技盤をさらに具備し、  該遊技盤に、前記光学表示装置が遊技者から視認可能となるように配置されているものである」ことを特徴とする。
【００３６】
ここで、「視認可能」とは、常時視認できる状態のみならず、視認可能な状態と視認不可能な状態とが切替えられて配置される状態を含む。
【００３７】
従って、手段９の構成によれば、遊技媒体が打ち込まれる遊技領域を有した遊技盤がさらに具備されており、且つ、光学表示装置が、遊技者から視認可能となるように配置されている。これにより、光学表示装置に表示される様々な表示態様を遊技者に対して提示することで、遊技内容をより華やかで興趣溢れるものへと演出することが可能となる。また、遊技内容と表示態様とを関連付けた場合には、遊技者の遊技に対する注目度を効果的に高めることができる。さらに、光学表示装置を、通常時は視認不可能な状態で配置し、ある特定の遊技状態において視認可能な状態へと変化させて配置した場合には、遊技者に変化に富んだドラスティックな印象を与えることが可能となり、遊技に対する興趣をより高めることができる。
【００３８】
手段１０：「手段９の構成において、
略円形の開口を有し該開口内に前記遊技媒体を案内する誘導部材を備えた前構成部材と、
前面側に該前構成部材が取り付けられると共に適宜形状の貫通口を複数有した板状の遊技盤ベースと、
該遊技盤ベースの前記貫通口を覆うように、前記遊技盤ベースの前面側に取り付けられる主役物と、
該主役物と対応し前記遊技盤ベースの後面側に取り付けられる後装飾体と、
該後装飾体の後方に配置される演出表示装置と
をさらに備えている」ことを特徴とする。
【００３９】
手段１０の構成によると、略円形の開口を有し該開口内に遊技媒体を案内する誘導部材を備えた前構成部材と、前面側に前構成部材が取り付けられると共に適宜形状の貫通口を複数有した板状の遊技盤ベースと、遊技盤ベースの前面側に取り付けられる主役物と、主役物と対応し遊技盤ベースの後面側に取り付けられる後装飾体と、後装飾体の後方に配置される演出表示装置とがさらに具備されている。
【００４０】
従って、主役物及び後装飾体が具備されているから、より遊技者の興趣を高めることのできる遊技機が提供できる。また、演出表示装置がさらに備えられているから、動画やアニメーションなど、より多様な演出態様にも対応できることに加え、当該演出表示装置が後装飾体の後方に備えられていることにより、配線や周辺部位などの見栄えの悪い部分を効果的に隠蔽することができ、より意匠性の高い遊技機を提供できる。
【００４１】
さらに、前構成部材に略円形の開口が形成されているから、遊技者が、当該開口を通じて後方に配置された演出表示装置等の演出態様を容易に視認することができ、演出内容や遊技内容に対する興趣を削ぐことが無いため好適である。なお、遊技盤ベース、主役物、または後装飾体に、本発明の光学表示装置を備える構成としても良い。具体的には、主役物に本発明の光学表示装置を備えると、点灯・点滅の単純な装飾だけではなく表示態様が変化するという従来にないドラスティックな演出が可能となり、注目度の高い遊技機が提供できる。また、後装飾体に備えた場合には、主役物に備えた場合と同様の作用効果を奏することに加え、例えば、後方に備えられた演出表示装置と、その前方に備えられた光学表示装置付き後装飾体とで行われる演出内容を関連付けることによって、奥行きのある立体的な演出を行うことが可能となる。このように構成することで、遊技機全体をより華やかで人目を惹くものへと演出することが可能となり、より好適である。
【００４２】
手段１１：「手段９又は手段１０の構成において、
該遊技盤の面に対して略直角方向且つ略水平方向、または上下方向に進退するプランジャを有したソレノイドと、
該ソレノイドにおける前記プランジャの進退による直線運動を回転運動に変換して伝達する伝達手段と、
該伝達手段からの回転運動の伝達により軸芯周りに回転させられ、前記プランジャの進退方向とは略直角方向且つ略水平方向で前記遊技盤の面に略沿うように延出する支持部材と、
該支持部材の一端側以外で一体的に支持される可動体と、
該可動体を支持する前記支持部材の一端側、及び前記ソレノイドを少なくとも保持する被誘導部材と、
該被誘導部材を誘導案内し略上下方向且つ前記遊技盤の面に略沿うように延在する誘導部材と、
該誘導部材の延在方向に前記被誘導部材を移動させる移動手段と」をさらに備えていることを特徴とする。
【００４３】
ここで、「伝達手段」としては、「基端が支持部材に固定され先端がプランジャに接続されることで、プランジャの直線運動を変換して支持部材を回転運動させるように伝達するもの」、「クランク機構を用いて、プランジャの直線運動を変換して支持部材を回転運動させるように伝達するもの」、等が挙げられる。
【００４４】
また、「可動体」としては、「遊技媒体と接触するように配置され、遊技媒体の動きを変化させることのできる役物可動体」、「遊技媒体とは接触しないように配置され、動きにより演出を行うことのできる装飾可動体」、等が挙げられる。なお、「可動体」は、人形や動物形等の所定のキャラクタの一部又は全体を立体的に造形したキャラクタ体としても良い。また、なお、「支持部材」は、「可動体」と一体に形成されているものであっても良いし、別体に形成されているものであっても良い。
【００４５】
また、「誘導部材」としては、被誘導部材を所定方向に誘導できるものであれば良く、「断面形状が円形状又は多角形状で所定方向に連続して延びるもの」、「断面形状が円形状又は多角形状で所定方向に不連続で延びるもの（所定の間隔で配置されるもの）」、等が挙げられる。なお、「誘導案内」としては、誘導部材と被誘導部材とが互いに摺動することで案内されるものや、何れかが転動することで案内されるもの等を挙げることができる。
【００４６】
更に、「移動手段」としては、「誘導部材の延在方向に離反して配置されたスプロケットを含むプーリと、プーリに巻き掛けられるチェーンを含むベルトとを有し、プーリの回転によりベルトと共に移動させるもの」、「誘導部材の延在方向に延びるネジ部材と、ネジ部材と螺合するナット部材とを有し、ネジ部材とナット部材とを互いに相対回転させることで移動させるもの」、「誘導部材の延在方向に進退するプランジャを有したソレノイド、又はピストンを有したシリンダ装置により移動させるもの」、「誘導部材の延在方向に延びるリニアモータにより移動させるもの」、等が挙げられる。なお、移動手段としてベルトやチェーンを用いたものとした場合、移動速度を速くすることができインパクトの高められるものとすることができる。また、移動手段としてネジ部材等を用いたものとした場合、位置決め精度が高く、繊細な動きをさせることができる。
【００４７】
手段１１の構成によると、手段９の構成に加え、遊技盤の面に略直角方向且つ略水平方向、または上下方向に進退するプランジャを有したソレノイドと、プランジャの進退による直線運動を回転運動に変換して伝達する伝達手段と、伝達手段からの回転運動により軸芯周りに回転させられると共にプランジャの進退方向とは略直角方向且つ略水平方向で遊技盤の面に略沿うように延出する支持部材と、支持部材の一端側以外で支持される可動体と、支持部材の一端側及びソレノイドを少なくとも保持する被誘導部材と、被誘導部材を誘導案内し略上下方向且つ遊技盤の面に略沿うように延在する誘導部材と、誘導部材の延在方向に被誘導部材を移動させる移動手段とをさらに具備している。
【００４８】
これにより、可動体が、移動手段によって遊技盤の面に略沿うように上下方向に移動すると共に、ソレノイドにより支持部材の軸芯周りに回転することができ、可動体により複雑な動きをさせることができるので、可動体の動きを飽き難くすることができ、飽きにより興趣が低下するのを防止することができる。
【００４９】
また、ソレノイドにおけるプランジャの進退方向を略水平方向とした場合は、プランジャの進退にかかる重力の影響を可及的に少なくすることができ、プランジャの進退を確実に行わせることで、可動体を確実に動かして所望の演出動作をさせることが可能となり、動きによる演出効果を充分に発揮させて、遊技者の興趣が低下するのを防止することができる。
【００５０】
更に、支持部材に支持された可動体が複雑な動きをしながら、遊技盤の面に略沿うように遊技領域を流下する遊技媒体の流れ方向と略同じ上下方向に移動するので、遊技媒体と可動体との間での遊技者の目線移動がし易く早期に遊技者が疲労するのを抑制することができ興趣が低下するのを防止することができる。
【００５１】
また、可動体を、所定のキャラクタの一部又は全体を立体的に造形したキャラクタ体としても良く、キャラクタ体が複雑な動きをすることで、遊技者に強いインパクトを与えることができ、興趣の高められるものとすることができる。
【００５２】
さらに、光学表示装置を、可動体に一体的に配置してもよい。従来より、ＬＣＤやＣＲＴ等のドットマトリスク型のディスプレイ、若しくはカラーＬＥＤを用いたセグメント型のディスプレイ等、様々な光学表示装置を備えた遊技機が知られているが、これらの光学表示装置は遊技盤に対して固定されていたため、表示を表現できる領域が比較的狭い範囲に限定されていた。また、表現できる範囲を広くするために、ディスプレイサイズ自体を大型化する方法も考え得るが、この方法はコストが嵩み、実装スペースにも制限があるため限界が低かった。これに対し、手段１１の構成によれば、可動体に光学表示装置を配置することも可能となるため、該可動体の複雑な動きに合わせて各種の表示態様も移動し、ディスプレイサイズに限定されない自由な演出が可能となる。従って、遊技者に対してよりインパクトが強く且つバラエティに富む演出を提供することができる。
【００５３】
手段１２：手段１０又は手段１１の構成において、
前記発光表示装置は、前記主役物または前記後装飾体に備えられているものであることを特徴とする。
【００５４】
手段１２の構成によれば、光学表示装置は、主役物または後装飾体に備えられている。
従って、主役物または後装飾体によって演出される演出内容をよりインパクトの強いものにすることができ、遊技者の興趣をより高めることに貢献し得る。
【００５５】
また、可動体を、主役物や後装飾体として構成してもよい。このように構成することで、主役物や後装飾体による演出をより多様なものとし、遊技者に強いインパクトを与えることができる。従って、遊技に対する興趣の低減を効果的に防止することができる。
【００５６】
手段１３：遊技機において、
遊技者の操作により遊技媒体が打ち込まれる遊技領域、
略円形の開口を有し該開口内に前記遊技媒体を案内する誘導部材を備えた前構成部材、  及び、前面側に該前構成部材が取り付けられると共に適宜形状の貫通口を複数有した板状の遊技盤ベース
を備えた遊技盤と、
該遊技盤ベースの前記貫通口を覆うように、前記遊技盤ベースの前面側に取り付けられる主役物と、
前記遊技盤の面に対して略直角方向且つ略水平方向、または上下方向に進退するプランジャを有したソレノイド、
該ソレノイドにおける前記プランジャの進退による直線運動を回転運動に変換して伝達する伝達手段、
該伝達手段からの回転運動の伝達により軸芯周りに回転させられ、前記プランジャの進退方向とは略直角方向且つ略水平方向で前記遊技盤の面に略沿うように延出する支持部材、
前記主役物と対応し前記遊技盤ベースの後面側に取り付けられ、前記支持部材の一端側以外で一体的に支持される可動体、
該可動体を支持する前記支持部材の一端側、及び前記ソレノイドを少なくとも保持する被誘導部材、
該被誘導部材を誘導案内し略上下方向且つ前記遊技盤の面に略沿うように延在する誘導部材、
及び、該誘導部材の延在方向に前記被誘導部材を移動させる移動手段
を備える後装飾体と、
該後装飾体の後方に配置される演出表示装置と、
前記遊技盤に遊技者から視認可能となるように配置されると共に、前記主役物または前記後装飾体に備えられ、
複数種類の色の光を投光可能なＬＥＤからなる発光手段、
該発光手段から投光される、光の三原色のうちの何れか一つのみからなる第一色の光だけが透過することで、第一表示態様を呈する第一透過手段、
該第一透過手段と同一面上に配置され、且つ前記第一透過手段に対して一部が重複するように配置され、該重複する重複部は、前記第一色を除く他の光の三原色の何れか一方の色である第二色の光が少なくとも透過し、該重複部以外は該第二色のみが透過することで第二表示態様を呈する第二透過手段、
及び、前記第一透過手段及び前記第二透過手段に対して前記発光手段の配置される側から、前記発光手段から投光される光以外の色の光が前記第一透過手段及び前記第二透過手段に照射されるのを防止する遮光手段
を備えた光学表示装置と
を具備し、
第一透過手段、または第二透過手段は、遮光性の部材からなる前記面上に形成される」ことを特徴とする。
【００５７】
なお、手段１３の構成において、可動体や主役物を、所定のキャラクタの一部又は全体を立体的に造形したキャラクタ体としても良い。キャラクタ体が複雑な動きをすることで、遊技者に強いインパクトを与えることができ、興趣の高められるものとすることができる。また、「遮光性の部材」とは、光を通し難い黒色の材質が適用されることが望ましい。
【００５８】
手段１３の構成によれば、略円形の開口を有し該開口内に遊技媒体を案内する誘導部材を備えた前構成部材と、前面側に前構成部材が取り付けられると共に適宜形状の貫通口を複数有した板状の遊技盤ベースと、遊技盤ベースの前面側に取り付けられる主役物と、主役物と対応し遊技盤ベースの後面側に取り付けられる後装飾体と、後装飾体の後方に配置される演出表示装置とが具備されている。
【００５９】
従って、主役物、後装飾体、及び演出表示装置が具備されているから、より遊技者の興趣を高めることのできる遊技機が提供できる。また、前構成部材に略円形の開口が形成されているから、遊技者が、当該開口を通じて後方に配置された演出表示装置等の演出態様を容易に視認することができ、演出内容や遊技内容に対する興趣を削ぐことが無いため好適である。
【００６０】
さらに、手段１３の構成によれば、遊技盤の面に略直角方向且つ略水平方向に進退するプランジャを有したソレノイドと、プランジャの進退による直線運動を回転運動に変換して伝達する伝達手段と、伝達手段からの回転運動により軸芯周りに回転させられると共にプランジャの進退方向とは略直角方向且つ略水平方向で遊技盤の面に略沿うように延出する支持部材と、支持部材の一端側以外で支持される可動体とをさらに具備している。
【００６１】
これにより、可動体が、移動手段によって遊技盤の面に略沿うように上下方向に移動すると共に、ソレノイドにより支持部材の軸芯周りに回転することができ、可動体により複雑な動きをさせることができるので、可動体の動きを飽き難くすることができ、飽きにより興趣が低下するのを防止することができる。
【００６２】
さらに、支持部材に支持された可動体が複雑な動きをしながら、遊技盤の面に略沿うように遊技領域を流下する遊技媒体の流れ方向と略同じ上下方向に移動するので、遊技媒体と可動体との間での遊技者の目線移動がし易く早期に遊技者が疲労するのを抑制することができ興趣が低下するのを防止することができる。
【００６３】
また、光学表示装置を、可動体に一体的に配置してもよい。これにより、可動体の複雑な動きに合わせて、光学表示装置に表示される各種表示態様も移動し、ディスプレイサイズに限定されない自由な演出が可能となる。
【００６４】
また、手段１３の構成によれば、発光手段、複数の透過手段、及び遮光手段から構成される比較的シンプルな構成の光学表示装置が具備され、発光手段から投光される光の色を変化させるだけで、様々な表示態様を表示することが可能である。さらに、複数の透過手段（第一透過手段及び第二透過手段等）は、互いに同一面上に重複して配置される場合には、当該重複部を、第一色及び第二色を夫々透過可能に構成されているため、対応する表示態様（第一表示態様及び第二表示態様）を明瞭に表示することが可能となる。
【００６５】
さらに、手段１３の構成によれば、遮光手段が具備されているから、演出表示装置が他の光学表示装置（ＬＣＤやＣＲＴ等）であった場合でも、これら他の演出表示装置から照射される光が透過手段に投光されることを防ぐことができ、所望の表示態様を所望の表示タイミングで明瞭に表示することができる。加えて、色の三原色を発光させる発光手段がＬＥＤから構成されていることにより、比較的他の色の波長成分を低減させることが容易で、表示内容を直感的に伝達させやすい光学表示装置とすることができる。これにより、遊技者がストレスを感じ難く、遊技内容に関する興趣や注目度を低減させないばかりか一層向上させることが可能な遊技機を提供することができる。
【００６６】
一方、可動体や主役物をキャラクタ体にした場合は、遊技内容とキャラクタ体とが関連付けやすく、コミカルで親しみやすい遊技機を提供できる。また、第一透過手段及び第二透過手段が、遮光性の部材を背景とする同一面上に形成されていることにより、これら透過手段の背面にある部材（例えば発光手段等）を見え難くすることができる。
【００６７】
さらに、白色の部材を背景とする場合に比べて、光が透過することによって表示される表示態様、つまり発光によって表示される表示態様を効果的に浮かび上がらせることができ、よりインパクトの強い華やかな光学表示装置を提供することができる。例えば、本発明の光学表示装置をキャラクタ体（または一部）に備える場合は、大きく開けた口の中、サングラスの中、大目玉の中、鼻の穴の中、黒髪の中、等、背景が黒いことが演出として生きてくるような部位に適用すると、より面白味の強いコミカルな演出が可能となり好適である。
【００６８】
また、可動体に光学表示装置を備えることにより、表示領域に囚われずに自由度の高い表示を行うことが可能となる。特に、手段１３の構成によれば、光学表示装置は、発光手段、複数の透過手段、及び遮光手段から構成される比較的シンプルな構成を呈し、さらに第一透過手段及び第二透過手段が同一面上にコンパクトに形成されている。従って、可動体に好適に配置可能であるため、バラエティに富む演出を提供でき、広い年代層に受け入れられ易い遊技機が提供できる。
【００６９】
手段１４：「手段１から手段１３までの何れか一つの遊技機において、
パチンコ機である」ことを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。
具体的には、「操作ハンドルの操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【００７０】
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し、表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【００７１】
手段１４の構成によると、パチンコ機において、上述した手段のいずれかの作用効果を奏することができる。
【００７２】
手段１５：「手段１から手段１３までの何れか一つの遊技機において、
パチスロ機である」ことを特徴とする。
ここで、パチスロ機とは、投入媒体であるメダルを投入し、メダルの投入後、始動用操作手段（例えば操作レバー）の操作によって、夫々複数の図柄が描かれた複数のリールを回転させる等して、各リール等によって構成された図柄列を変動表示させるとともに、その後、停止用操作手段（例えばストップボタン）の操作に応じて各図柄列の変動表示を停止させる、といった遊技が遊技者によって行われるものである。換言すれば、停止操作機能付きのスロットマシーンとして捉えることができるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００７３】
手段１５の構成によると、パチスロ機において、上述した手段のいずれかの作用効果を奏することができる。
【００７４】
手段１６：「手段１から手段１３までの何れか一つの遊技機において、
パチンコ機とパチスロ機とを融合させてなる」ことを特徴とする。
ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【００７５】
手段１６の構成によると、パチンコ機とパチスロ機とを融合させてなる遊技機において、上述した手段のいずれかの作用効果を奏することができる。
【発明の効果】
【００７６】
このように、本発明では、セグメント型の表示装置を用いて、表示態様を様々に変化させることができる演出手段を具備する遊技機を提供できる。
【図面の簡単な説明】
【００７７】
【図１】パチンコ機の前側全体を示す正面図である。
【図２】パチンコ機の外枠の一側に本体枠が開かれその本体枠の一側に前面枠が開かれた状態を示す斜視図である。
【図３】パチンコ機の本体枠と遊技盤とを分離して斜め右上前方から示す斜視図である。
【図４】パチンコ機の後側全体を示す背面図である。
【図５】パチンコ機の後側全体を右上後方から示す斜視図である。
【図６】図５に示すパチンコ機の斜視図から後カバー体及び各種制御基板等を取り外した状態を示す斜視図である。
【図７】パチンコ機の本体枠に各種部材が組み付けられた状態を斜め右上後方から示す斜視図である。
【図８】本体枠単体を斜め右上後方から示す斜視図である。
【図９】遊技盤の背面斜視図である。
【図１０】遊技領域を有した遊技盤の構成を示す拡大正面図である。
【図１１】遊技盤を斜め前方から示す斜視図である。
【図１２】遊技盤を斜め後方から示す斜視図である。
【図１３】図１２における主制御基板ボックス、副制御基板ボックス等を外した状態で示す斜視図である。
【図１４】遊技盤を分解して斜め前方から示す斜視図である。
【図１５】主役物の正面図である。
【図１６】主役物を斜め前方から示す斜視図である。
【図１７】主役物を斜め後方から示す斜視図である。
【図１８】主役物を分解して斜め前方から示す分解斜視図でる。
【図１９】主役物のステージ付近を拡大して示す拡大正面図である。
【図２０】左右の可動装飾体及び装飾体駆動ユニットを示す斜視図である。
【図２１】（Ａ）は左可動装飾体を斜め後方から示す斜視図であり（Ｂ）は左可動装飾体を分解して斜め前方から示す分解斜視図である。
【図２２】（Ａ）は右可動装飾体を斜め後方から示す斜視図であり、（Ｂ）は右可動装飾体を分解して斜め前方から示す分解斜視図である。
【図２３】（Ａ）は左可動装飾体駆動ユニットの分解斜視図であり、（Ｂ）は右可動装飾体駆動ユニットの分解斜視図である。
【図２４】左右の可動装飾体の動きを示す説明図である。
【図２５】主入賞口ユニット、遊技領域内装飾体、及び排出誘導部材を斜め前方から示す斜視図である。
【図２６】（Ａ）は主入賞口ユニットにおける始動口の要部を拡大して示す斜視図であり、（Ｂ）はその側面図である。
【図２７】（Ａ）は主入賞口ユニットにおけるアタッカ装置の要部を示す斜視図であり、（Ｂ）はその側面図である。
【図２８】主入賞口ユニットを斜め後方下側から示す斜視図である。
【図２９】遊技領域内装飾体を斜め後方から示す背面斜視図である。
【図３０】主入賞口ユニット、遊技領域内装飾体、及び排出誘導部材における遊技球の流路を示す断面図である。
【図３１】後装飾体を斜め前方から示す斜視図である。
【図３２】後装飾体を分解して斜め前方から示す分解斜視図である。
【図３３】後装飾体を分解して斜め後方から示す分解斜視図である。
【図３４】後装飾体における第一装飾可動体ユニットを斜め前方から示す斜視図である。
【図３５】第一装飾可動体ユニットを主要部毎に分解して斜め前方から示す分解斜視図である。
【図３６】（Ａ）は第一装飾可動体ユニットにおける第一装飾可動体を分解して斜め前方から示す分解斜視図であり、（Ｂ）は第一装飾可動体におけるレンズ部を示す拡大正面図である。
【図３７】第一装飾可動体ユニットにおける第一装飾可動体駆動ユニットを斜め前方から示す斜視図である。
【図３８】第一装飾可動体駆動ユニットを斜め後方から示す斜視図である。
【図３９】第一装飾可動体駆動ユニットを主要部毎に分解して示す分解斜視図である。
【図４０】図３９よりも更に分解して示す分解斜視図である。
【図４１】（Ａ）は第一装飾可動体駆動ユニットにおける第一昇降部材を示す斜視図であり、（Ｂ）は第一昇降部材の分解斜視図である。
【図４２】第一昇降部材における第一装飾可動体ソレノイドと回動伝達部材との関係を示す説明図である。
【図４３】後装飾体における第二装飾可動体ユニットを斜め前方から示す斜視図である。
【図４４】第二装飾可動体ユニットを主要部毎に分解して斜め前方から示す分解斜視図である。
【図４５】第二装飾可動体ユニットにおける第二装飾可動体を分解して示す分解斜視図である。
【図４６】第二装飾可動体ユニットにおける第二装飾可動体駆動ユニットを斜め前方から示す斜視図である。
【図４７】第二装飾可動体駆動ユニットを主要部毎に分解して示す分解斜視図である。
【図４８】図４７よりも更に分解して示す分解斜視図である。
【図４９】（Ａ）は第二装飾可動体駆動ユニットにおける第二昇降部材を示す斜視図であり、（Ｂ）は第二昇降部材の分解斜視図である。
【図５０】第二昇降部材における第二装飾可動体ソレノイドとリンク機構との関係を示す説明図である。
【図５１】装飾可動体ユニットカバーを斜め前方から示す斜視図である。
【図５２】装飾可動体ユニットカバーの要部を示す説明図である。
【図５３】制御構成を概略的に示すブロック図である。
【図５４】主役物における可動装飾体が略垂直方向に回動した状態を示す遊技領域の正面図である。
【図５５】図５４の状態から更に後装飾体の第一装飾可動体及び第二装飾可動体を可動させた状態を示す遊技領域の正面図である。
【図５６】後装飾体の第一装飾可動体及び第二装飾可動体を可動させた状態を示す遊技領域の正面図である。
【図５７】第一装飾可動体及び第二装飾可動体の可動範囲を示す説明図である。
【図５８】第一装飾可動体におけるレンズ部の別の形態を示す拡大正面図である。
【発明を実施するための形態】
【００７８】
以下、本発明の一実施形態であるパチンコ遊技機（以下、単に「パチンコ機」という）を、図面に基づいて詳細に説明する。
［パチンコ機の全体構成について］  図１及び図２に基づき説明する。
図１はパチンコ機の前側全体を示す正面図であり、図２はパチンコ機の外枠の一側に本体枠が開かれその本体枠の一側に前面枠が開かれた状態を示す斜視図である。なお、図１及び図２においては遊技領域における装飾部材を省略して示している。
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【００７９】
［本体枠の構成について］  図１及び図３に基づき説明する。
図３はパチンコ機の本体枠と遊技盤とを分離して斜め右上前方から示す斜視図である。
本体枠３は、前枠体１１、遊技盤装着枠１２及び機構装着体１３を合成樹脂材によって一体成形することで構成されている。本体枠３の前枠体１１は、外枠２（図２参照）の前側の下受板６を除く外郭形状に対応する大きさの矩形枠状に形成されている。そして、前枠体１１の片側の上下部には、本体枠側ヒンジ具１５が固定されており、外枠２の片側の上下部に固定された外枠側ヒンジ具１４に対してヒンジピン及びヒンジ孔によって開閉回動可能に装着されている。すなわち、外枠側ヒンジ具１４、本体枠側ヒンジ具１５、ヒンジピン及びヒンジ孔によってヒンジ機構７が構成されている。
【００８０】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。また、前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【００８１】
［前面枠の構成について］  図１及び図２に基づき説明する。
前枠体１１の前面の片側には、その前枠体１１の上端から下部前面板３０の上縁にわたる部分を覆うようにして、前面枠４がヒンジ機構３６によって前方に開閉可能に装着されている。また、前面枠４の略中央部には、遊技盤５の遊技領域３７を前方から透視可能な略円形の開口窓３８が形成されている。また、前面枠４の後側には開口窓３８よりも大きな矩形枠状をなす窓枠３９が設けられ、その窓枠３９にはガラス板、透明樹脂板等の透明板５０が装着されている。また、前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。また、上皿５１の左側には、遊技者が操作可能なボタン５９が設けられている。
【００８２】
［施錠装置の構成について］  図２及び図３に基づき説明する。
前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵が挿入されて解錠操作可能に、前枠体１１及び下部前面板３０を貫通して露出されたシリンダー錠７５とを備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【００８３】
［遊技盤装着枠の構成について］  図２乃至図４に基づき説明する。
図４はパチンコ機の後側全体を示す背面図である。
図２及び図３に示すように、本体枠３の遊技盤装着枠１２は、前枠体１１の後側に設けられかつ遊技盤５が前方から着脱交換可能に装着されるようになっている。遊技盤５は、遊技盤装着枠１２の前方から嵌込まれる大きさの略四角板状に形成されている（図９参照）。遊技盤５の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、その遊技球は、その隙間から排出され下皿３１に案内されるように構成されている。また、遊技盤５の前面には、その案内レール７８の外側領域において、合成樹脂製の前構成部材７９が装着されている。
【００８４】
一方、図４に示すように、遊技盤５の後側下部には、その中央部から下部にわたる部分において、各種入賞装置に流入した遊技球を受けかつその遊技球を所定位置まで導く集合樋としての機能とボックス装着部としての機能を兼ね備えたボックス装着台９１が設けられている。このボックス装着台９１には、音声制御基板、ランプ制御基板等の副制御基板９２が収納された副制御基板ボックス９３が装着され、その副制御基板ボックス９３の後側に重ね合わされた状態で、主制御基板９４が収納された主制御基板ボックス９５が装着されている。さらに、遊技盤５の後側に対しボックス装着台９１、副制御基板ボックス９３及び主制御基板ボックス９５がそれぞれ装着された状態において、本体枠３の遊技盤装着枠１２の前方から遊技盤５を嵌込んで装着できるように、遊技盤５の外郭より外側にはみ出すことなくボックス装着台９１、副制御基板ボックス９３及び主制御基板ボックス９５が配置されている。
【００８５】
［本体枠の機構装着体、球タンク及びタンクレールの構成について］  図７及び図８に基づき説明する。
図７はパチンコ機の本体枠に各種部材が組み付けられた状態を斜め右上後方から示す斜視図であり、図８は本体枠単体を斜め右上後方から示す斜視図である。
本体枠３の機構装着体１３には、タンク装着部１１１、レール装着部１１２、及び払出装置装着部１１３等がそれぞれ形成され、タンク装着部１１１には球タンク１１４が装着されている。球タンク１１４は、透明な合成樹脂材よりなり、島設備から供給される多数の遊技球が貯留可能な上方に開口する箱形状に形成されている。そして、球タンク１１４の遊技球の貯留状態が球タンク１１４の後側壁を透して視認可能となっている。また、球タンク１１４の底板部１１５の後側隅部には遊技球を放出する放出口１１６が形成されるとともに、底板部１１５は放出口１１６に向けて下傾する傾斜面に形成されている。
【００８６】
本体枠３の機構装着体１３には、そのタンク装着部１１１に下方に接近してレール装着部１１２が一体に形成され、そのレール装着部１１２にレール構成部材１１７が装着されることでタンクレール１１８が構成されるようになっている。すなわち、この実施形態において、レール装着部１１１は、本体枠３の上部横方向部分が所定深さ凹まされた状態で形成されており、その凹部の奥側壁をタンクレール１１８の前壁部１１９とし、その凹部の下縁部に沿って一端（図８に向かって左端）から他端（図８に向かって右端）に向けて下傾する傾斜状のレール棚１２０が形成されている。そして、レール棚１２０の横方向に延びる上向き面をレール受け部１２１としている。
【００８７】
レール装着部１１２に装着されてタンクレール１１８を構成するレール構成部材１１７は、レール装着部１１２の前壁部１１９との間にレール通路を構成する後壁部１２２と、傾斜状をなす下板部と、その下板部の上面の前後方向中央部に沿って突設されレール通路を前後複数列（この実施形態では前後２列）に区画する仕切り壁（いずれも図示しない）とを一体に備えて形成されている。このレール構成部材１１７は、レール装着部１１２に対し適宜の取付手段によって装着され、これによって、前後複数列のレール通路を備えたタンクレール１１８が構成されている。そして、球タンク１１４の放出口１１６から放出（自重によって落下）された遊技球がタンクレール１１８の前後複数列のレール通路の一端部においてそれぞれ受けられた後、遊技球が自重によってレール通路に沿って転動することでレール通路の他端部に向けて流れるようになっている。また、この実施形態において、レール構成部材１１７は、透明な合成樹脂材より形成され、これによって、レール通路内の遊技球の流れ状態が、レール構成部材１１７の後壁部１２２を透して視認可能となっている。
【００８８】
タンクレール１１８（レール装着部１１２）の前壁部１１９は、遊技盤５の後側に突出する装備品（例えば役物）における後部の上端部との干渉を避けるため第１空間部を隔てた状態で設けられている。また、この実施形態において、本体枠３の後端部となるレール棚１２０の後端と、タンクレール１１８の後壁部は、球タンク１１４の後側壁と略同一面をなしている。言い換えると、球タンク１１４の後壁部に対しタンクレール１１８の後壁部が略同一面となる位置までタンクレール１１８が遊技盤５の後面より後方に離隔して配置されている。これによって、遊技盤５の後側とタンクレール１１８の前壁部１１９との間に装備品（例えば役物）の後部との干渉を避けるための第１空間部が設けられるようになっている。
【００８９】
また、タンクレール１１８の上方には、レール通路を流れる遊技球を上下に重なることなく整列させる整流体１２３がその上部において軸１２４を中心として揺動可能に装着されている。この整流体１２３には、その中央部から下部において錘が設けられている。
【００９０】
［払出装置装着部及び球払出装置の構成について］  図７及び図８に基づき説明する。
本体枠３の機構装着体１３の片側寄りの上下方向には、次に述べる球払出装置（球払出ユニット）１２５に対応する縦長の払出装置装着部１１３が形成されている。払出装置装着部１１３は、後方に開口部をもつ凹状に形成されている。また、払出装置装着部１１３の段差状をなす奥壁部（図示しない）の所定位置には、球払出装置１２５の払出用モータ１２６（図３参照）が突出可能な開口部１２７が形成されている。
【００９１】
払出装置装着部１１３の凹部に球払出装置１２５が装着された状態において、遊技盤５との間には、第１空間部と前後方向に略同一レベルとなる第２空間部が設けられている。
これによって、レール通路と球通路とが前後方向に略同一レベルで配置されている。また、本体枠３の後端、すなわち払出装置装着部１１３の周壁部後端、レール棚１２０の後端、球タンク１１４、タンクレール１１８及び球払出装置１２５のそれぞれの後面は略同一面をなしている。
【００９２】
球払出装置１２５は、払出装置装着部１１３の凹部と略同じ大きさの縦長のボックス形状をなし、払い出しに関する各種部品が装着されることでユニット化されている。なお、球払出装置１２５は、払出装置装着部１１３の凹部の後方開口部から嵌込まれて適宜の取付手段（例えば、弾性クリップ、係止爪、ビス等の取付手段）によって装着されるようになっている。
【００９３】
また、図示しないが、球払出装置１２５は、タンクレール１１８におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球及び貸球用球通路と球抜き用球通路とがそれぞれ形成されている。そして賞球及び貸球用球通路と球抜き用球通路との分岐部には、遊技球をいずれかの通路に振り分けて払い出すための回転体よりなる払出部材（図示しない）が正逆回転可能に配設されている。
【００９４】
［本体枠の後側下部の装備について］  図３及び図４に基づき説明する。
本体枠３の前枠体１１の後側において、遊技盤装着枠１２よりも下方に位置する前枠体１１の後下部領域の片側（図４に向かって左側）には、発射レール１９の下傾端部の発射位置に送られた遊技球を発射するための発射ハンマー（図示しない）、その発射ハンマーを作動する発射モータ１２８等が取付基板１２９に組み付けられてユニット化された発射装置ユニット１３０が装着されている。また、前枠体１１の後下部領域の略中央部には、電源基板１３１を収容する電源基板ボックス１３２が装着され、その電源基板ボックス１３２の後側に重ね合わされた状態で払出制御基板１３３を収容する払出制御基板ボックス１３４が装着されている。払出制御基板１３３は、遊技球を払い出す数を記憶するＲＡＭを備え、主制御基板９４から送信される払出用信号に従って遊技球を払い出す制御信号を中継用回路基板（図示しない）に伝達して払出用モータ１２６を作動制御するようになっている。
【００９５】
［後カバー体の構成について］  図４及び図５に基づき説明する。
図５はパチンコ機の後側全体を右上後方から示す斜視図である。
遊技盤５後面に配置された表示装置制御基板ボックス１３５（図９参照）及び主制御基板ボックス９５の後端部は機構装着体１３の中央部に開口された窓開口部に向けて突出している。そして、機構装着体１３の窓開口部の一側壁を構成する側壁部と他側壁を構成する払出装置装着部１１３の片側壁との間には、不透明な合成樹脂材によって略方形の箱形状に形成された後カバー体１３６がカバーヒンジ機構１３７によって開閉並びに着脱可能に装着されている。
【００９６】
後カバー体１３６は、略四角形状の後壁部１３８と、その後壁部１３８の外周縁から前方に向けて突出された周壁部１３９とから一体に構成されている。後カバー体１３６の周壁部１３９のうち、一側の壁部１３９ａには、機構装着体１３の側壁部の上下及び中間の計３箇所に形成されたヒンジ体１４０のヒンジ孔の上方からそれぞれ着脱可能に嵌込まれるヒンジピン１４１を下向きに有するヒンジ体１４２が一体に形成されている。また、後カバー体１３６の周壁部１３９のうち、他側の壁部１３９ｂには、払出装置装着部１１３の片側壁に形成された係止孔に弾性的に係合可能な係止爪を有する弾性閉止体１４３が一体に形成されている。
【００９７】
すなわち、後カバー体１３６は、その上下及び中間のヒンジ体１４２の各ヒンジピン１４１が機構装着体１３の側壁部のヒンジ体１４０のヒンジ孔の上方からそれぞれ嵌込まれる。この状態で、ヒンジピン１４１を中心として後カバー体１３６が機構装着体１３の他側に向けて回動されながら、その弾性閉止体１４３を払出装置装着部１１３の片側壁の係止孔に差し込んで弾性的に係合させることで、機構装着体１３の後側に後カバー体１３６が閉じ状態で保持される。そして、後カバー体１３６によって、遊技盤５後面の表示装置制御基板ボックス１３５（図９参照）全体及び主制御基板ボックス９５の略中間部から上端にわたる部分が後カバー体１３６によって覆われるようになっている。これによって、主制御基板ボックス９５の上部に露出された主制御基板９４の基板コネクタ（主として表示装置制御基板と接続するための基板コネクタ）が後方から視認不能に隠蔽されている。
【００９８】
また、主制御基板ボックス９５の略中間部から下端にわたる部分は後カバー体１３６によって覆われることなく露出されている。そして、主制御基板ボックス９５の下部には、その主制御基板９４上に配置された検査用コネクタ１４４が露出されており、後カバー体１３６が閉じられた状態で主制御基板９４上の検査用コネクタ１４４に基板検査装置（図示しない）を接続して検査可能となっている。
【００９９】
後カバー体１３６には、多数の放熱孔１４５、１４６、１４７、１４８が貫設されており、これら多数の放熱孔１４５、１４６、１４７、１４８から内部の熱が放出されるようになっている。この実施形態において、後カバー体１３６には、その周壁部１３９から後壁部１３８に延びる多数のスリット状の放熱孔１４５が貫設され、後壁部１３８の略中間高さ位置から上部においては多数の長円形、楕円形等の放熱孔１４６が貫設され、後壁部１３８の下部には多数の長円形、楕円形等の放熱孔１４７と所定数の横長四角形状の放熱孔１４８が貫設されている。
【０１００】
また、横長四角形状の放熱孔１４８は、主制御基板ボックス９５の封印ねじ（封印部材）によって封印される複数の並列状の封印部１４９の列の大きさ及び配設位置に対応する大きさ及び位置に貫設されている。これによって、不透明な後カバー体１３６が閉じられた状態であっても、主制御基板ボックス９５の複数の並列状の封印部１４９が放熱孔１４８の部分において視認可能に露出される。このため、後カバー体１３６が閉じられた状態であっても、主制御基板ボックス９５の封印部１４９の封印状態を容易に視認することができる。また、不透明な合成樹脂材は、透明な合成樹脂材と比べ、リサイクル使用される合成樹脂材を材料として用いることが容易であるため、後カバー体１３６を安価に製作することができる。
【０１０１】
後カバー体１３６の周壁部１３９のうち、上側壁部１３９ｃの所定位置（この実施形態では左右２箇所）には、電源コード（図示しない）を適宜に折り畳んだ状態で保持する略Ｃ字状でかつ弾性変形可能なコード保持体１５０が上方のタンクレール１１８の後壁面（レール構成部材１１７の後壁面）に向けて延出されている。このコード保持体１５０の先端部には、同コード保持体１５０を弾性変形させて電源コードを取り外すためのつまみが形成されている。
【０１０２】
電源コードは、その一端が分電基板１５１の基板コネクタ１５２に取り外し可能に接続され、他端の電源プラグが電源コンセントに差し込まれる。前記したように、後カバー体１３６にコード保持体１５０を一体に形成して電源コードを保持することで、パチンコ機１を運搬、保管する際に電源コードがぶらついて邪魔になったり、異物に引っ掛かる不具合を防止することができる。
【０１０３】
［本体枠の後側下部の下皿用球誘導体等の構成について］  図１及び図６に基づき説明する。
図６は、図５に示すパチンコ機の斜視図から後カバー体及び各種制御基板等を取り外した状態を示す斜視図である。
本体枠３の後下部領域の他側寄り部分（ヒンジ寄り部分）には、そのスピーカボックス部１６の後段差部の凹み部分において下皿用球誘導体１５３が装着されている。この下皿用球誘導体１５３は、球払出装置１２５の賞球及び貸球用球通路から上皿連絡路（図示しない）を経て上皿５１に払い出された遊技球が満杯になったときに、上皿連絡路の遊技球を下皿３１に導くためのものである。
【０１０４】
なお、この実施形態において、下皿用球誘導体１５３の後壁外面には、インタフェース基板１５４を収納している基板ボックス１５５が装着されている。なお、インタフェース基板１５４は、パチンコ機１に隣接して設置される球貸機と払出制御基板１３３との間に介在され、球貸に関する信号を球貸機と払出制御基板１３３との間で送受信可能に電気的に接続するようになっている。
【０１０５】
［遊技盤の構成について］  
図１０は遊技領域を有した遊技盤の構成を示す拡大正面図である。図１１は遊技盤を斜め前方から示す斜視図であり、図１２は遊技盤を斜め後方から示す斜視図である。図１３は図１２における主制御基板ボックス、副制御基板ボックス等を外した状態で示す斜視図である。また、図１４は遊技盤を分解して斜め前方から示す斜視図である。
【０１０６】
図１０乃至図１４に示すように、遊技盤５は、略円形の開口２１０を有し開口２１０内に遊技球を案内する外レール７６及び内レール７７からなる案内レール７８を備えた前構成部材７９と、前面側に前構成部材７９が取り付けられると共に適宜形状の貫通口２１１を複数有した板状の遊技盤ベース２１２と、遊技盤ベース２１２の貫通口２１１を覆うように、遊技盤ベース２１２の前面側に取り付けられる主役物２１３、主入賞口ユニット２１４、及び遊技領域内装飾体２１５と、主役物２１３と対応し遊技盤ベース２１２の後面側に取り付けられる後装飾体２１６と、後装飾体２１６の後方に配置される演出表示装置２１７と、遊技盤ベース２１２の後面側に取り付けられ主入賞口ユニット２１４に入賞した遊技球を排出誘導する排出誘導部材２１８とを主に備えている。
【０１０７】
遊技盤５では、前構成部材７９における開口２１０の内側で、遊技盤ベース２１２の前面側において、主に遊技領域３７が区画形成されており、この遊技領域３７内には、図１０に示すように多数の障害釘が所定のゲージ配列をなして設けられているほか、その途中の適宜位置に風車２１９が設けられていると共に、上述の主役物２１３、主入賞口ユニット２１４、及び遊技領域内装飾体２１５が配置されている。なお、遊技領域３７内の中央最下部には、入賞口等に入賞しなかった遊技球を遊技領域３７内から排出するアウト口２２０が設けられている。
【０１０８】
（主役物の構成について）
次に、遊技盤５における主役物２１３の具体的な構成について図１５乃至図２４に基づき詳細に説明する。図１５は主役物の正面図であり、図１６は主役物を斜め前方から示す斜視図であり、図１７は主役物を斜め後方から示す斜視図である。図１８は主役物を分解して斜め前方から示す分解斜視図である。また、図１９は主役物のステージ付近を拡大して示す拡大正面図である。図２０は左右の可動装飾体及び装飾体駆動ユニットを示す斜視図であり、図２１の（Ａ）は左可動装飾体を斜め後方から示す斜視図であり（Ｂ）は左可動装飾体を分解して斜め前方から示す分解斜視図である。図２２の（Ａ）は右可動装飾体を斜め後方から示す斜視図であり、（Ｂ）は右可動装飾体を分解して斜め前方から示す斜視図である。図２３の（Ａ）は左可動装飾体駆動ユニットの分解斜視図であり、（Ｂ）は右可動装飾体駆動ユニットの分解斜視図である。更に、図２４は左右の可動装飾体の動きを示す説明図である。
【０１０９】
遊技盤５における主役物２１３は、図１５乃至図１８に示すように、額縁状に形成された枠状装飾体２３０と、枠状装飾体２３０の前側の右下縁部に取り付けられるキャラクタ体２３１と、枠状装飾体２３０の前側の上縁部やや右寄りに取り付けられ自動車を模した装飾部材２３２と、枠状装飾体２３０の開口を閉鎖するように枠状装飾体２３０の後側に取り付けられる透明な板状の隔壁板２３３と、枠状装飾体２３０の上縁部の前面下側に配置される右可動装飾体２３４及び左可動装飾体２３５と、枠状装飾体２３０の後側に配置され右可動装飾体２３４及び左可動装飾体２３５を夫々所定軸周りに回動させるための右可動装飾体駆動ユニット２３６及び左可動装飾体駆動ユニット２３７とを備えている。
【０１１０】
また、主役物２１３には、遊技領域３７内の所定領域を通過する遊技球を検出可能なチャッカー２３８を更に備えている。このチャッカー２３８は、枠状装飾体２３０の左縁部に取り付けられ遊技球の通過を検出する通過検出センサ２３９と、通過検出センサ２３９を前方から覆うと共に上下方向に遊技球が通過可能な開口を有したチャッカーカバー２４０とを備えている。このチャッカー２３８は、チャッカーカバー２４０の上側から、遊技領域３７内を流下する遊技球が進入すると、その遊技球を通過検出センサ２３９によって検出し、その後、検出した遊技球をチャッカーカバー２４０の下側から、再び遊技領域３７内に戻すようになっている。
【０１１１】
この主役物２１３の枠状装飾体２３０には、通過検出センサ２３８が取り付けられる部位の下側に、ワープ入口２５０が設けられていると共に、ワープ入口２５０の下方には枠状装飾体２３０の内側に開口するワープ出口２５１が設けられており、枠状装飾体２３０内部にはワープ入口２５０とワープ出口２５１とを連通するワープ通路２５２が形成されている。このワープ通路２５２は、断面視コ字状に形成された枠状装飾体２３０の開放部が隔壁板２３３の一部によって閉鎖されることで形成されており、遊技盤面に沿って流下する遊技球を、枠状装飾体２３０の外側（外周）から内側へワープ通路２５２を介して取り込めるようになっている。
【０１１２】
主役物２１３の枠状装飾体２３０には、その下縁部における上面に、ワープ通路２５２のワープ出口２５１から連続し遊技球を左右方向に転動させることのできる転動面２５３と、転動面２５３の前側に設けられ左右に開放部２５４を有した所定高さの堰部２５５とからなるステージ２５６が備えられている。このステージ２５６は、ワープ通路２５２を介して取り込まれた遊技球を左右方向に転動させてその動きに様々な変化が付けられるようになっていると共に、ステージ２５６上を転動する遊技球が開放部２５４からステージ２５６の前方に流出するようになっている。なお、ステージ２５６上の遊技球は、枠状装飾体２３０の後側に取り付けられる隔壁板２３３によってステージ２５６の後方へ流出しないようになっている。
【０１１３】
また、主役物２１３の枠状装飾体２３０には、ステージ２５６上の遊技球を、主入賞口ユニット２１４の略中央直上に流下するように誘導する球誘導路２５７を更に備えている。この球誘導路２５７は、ステージ２５６の左右の開放部２５４を挟むように略中央に配置され遊技球をステージ２５６の後側へ案内する球案内部２５８と、球案内部２５８の下方且つステージ２５６の後側に延出し上方から遊技球を受入可能とされた球受部２５９と、球受部２５９に受けられた遊技球を球案内部２５８の下方且つステージ２５６の前側に開口する球流出口２６０から流出するように誘導する球誘導部２６１とから構成されている。なお、隔壁板２３３の略中央下部には、後方に突出する球誘導凹部２６２が形成されており、球案内部２５８によってステージ２５６の後側に案内された遊技球が、球誘導凹部２６２に誘導されて隔壁板２３３の後側に流出することなく、良好に球受部２５９に受けられるようになっている。
【０１１４】
更に、主役物２１３の枠状装飾体２３０には、ステージ２５６を挟んでワープ通路２５２の反対側に、枠状装飾体２３０の左右方向中央側が僅かに低くなるような面とされ、ステージ２５６の転動面２５３と連続するような延長転動面２６３を更に備えている。この延長転動面２６３は、ワープ入口２５０から取り込まれワープ通路２５２を介して所定の初速度でステージ２５６上に供給された遊技球が、ステージ２５６の堰部２５５を乗越えてステージ２５６から流出するのを防止するためのものである。なお、この延長転動面２６３の前側には、図示するように、キャラクタ体２３１の一部が配置されるようになっており、隔壁板２３３と協働して所定深さの溝が形成されるようになっており、延長転動面２６３において遊技球が弾んだりしても、延長転動面２６３から遊技球が脱落し難くなっている（図１９参照）。
【０１１５】
この延長転動面２６３の作用を詳述すると、ワープ通路２５２を介して所定の初速度で供給される遊技球は、ステージ２５６の左端から右端へと転動して延長転動面２６３上に供給され、その際に、ステージ２５６はその中央付近が低く左右両端が高くなるような形状とされているので、遊技球の速度はステージ２５６の右端に転動するのに従って低下するが、ワープ通路２５２内を流通する遊技球の速度は様々に異なるため、ステージ２５６へ供給される時の初速度も様々に異なり、例えば、ステージ２５６の右端に延長転動面２６３の代わりに球当接部を設けた場合、遊技球の速度によっては、球当接部への当接により弾んでしまいステージ２５６の堰部２５５を乗越えてステージ２５６から脱落し、ステージ２５６上で遊技球を良好に転動させることができなくなり、遊技球の動きを楽しませられなくなる恐れがある。
【０１１６】
これに対して、本例では、ステージ２５６の右端に延長転動面２６３を設けており、所定の速度で転動する遊技球がステージ２５６の右端に到達しても、延長転動面２６３へと供給されてステージ２５６の右端で弾んでステージ２５６から脱落するのを防止することができるようになっている。また、延長転動面２６３では、キャラクタ体２３１及び隔壁板２３３と協働して所定深さの溝が形成されるので、延長転動面２６３上で遊技球が弾んでも、延長転動面２６３から遊技球が脱落するのを抑制することができるようになっている。更に、延長転動面２６３は、枠状装飾体２３０の中央側（左端）が僅かに下がった平坦面とされているので、延長転動面２６３からステージ２５６へ転動する遊技球の速度上昇を抑制させることが可能となり、好適な速度で遊技球をステージ２５６に戻すことができ、ステージ２５６上で遊技球を良好に転動させることができるようになっている。
【０１１７】
主役物２１３の枠状装飾体２３０は、図１６及び図１７に示すように、その左側外周に遊技球を外周に沿って下方に案内可能な球案内路２７０が備えられている。この球案内路２７０は、枠状装飾体２３０の外周面２７１と、遊技盤ベース２１２の前面側に当接し遊技盤ベース２１２の該当する貫通口２１１を閉鎖するように外方に延びるフランジ部２７２と、フランジ部２７２から前側に所定距離離反した位置で外方に延び前面に装飾の施された装飾フランジ部２７３とから構成されている。この球案内路２７０は、枠状装飾体２３０の外周面２７１、フランジ部２７２、及び装飾フランジ部２７３とにより、遊技盤５の盤面に沿った外方に開放された断面が略コ字形状に形成されており、その内部を遊技球が流通可能とされている。
【０１１８】
この球案内路２７０には、フランジ部２７２及び装飾フランジ部２７３の内面側（互いに対向する面側）に、複数の突起（突条）２７４が設けられており、フランジ部２７２側の突起２７４と、装飾フランジ部２７３側の突起２７４は、互いに対向しない位置に交互に夫々形成されている。この球案内路２７０は、その複数の突起２７４によって、球案内路２７０を流下する遊技球が突起２７４と当接することで、遊技球の流下速度を減衰させて、遊技球の流下速度が上昇するのを抑制することができるようになっている。なお、この球案内路２７０は、主入賞口ユニット２１４の下側付近まで遊技球を案内するように形成されている。
【０１１９】
この球案内路２７０は、図１０及び図１１に示すように、遊技領域３７の上部に打ち込まれた遊技球を、主入賞口ユニット２１４の下側付近まで案内しており、この球案内路２７０によって遊技球が案内されると、主入賞口ユニット２１４に入賞する可能性が低くなるので、球案内路２７０に遊技球が案内されないように、遊技球の打ち込み操作をさせることができ、打ち込み操作が単調となり興趣が低下するのを防止することができるようになっている。また、球案内路２７０によって遊技球が案内された場合、その突起２７４によって遊技球の流下速度が抑制されるので、球案内路２７０から勢い良く遊技球が放出されるのを防止して、放出された遊技球が主入賞口ユニット２１４や遊技領域内装飾体２１５等と当接するのを防止したり、当接してもその速度を遅くして衝撃を可及的に小さくし、主入賞口ユニット２１４等が破損するのを防止することができるようになっている。
【０１２０】
次に、図２０乃至図２４に基づいて、右可動装飾体２３４及び左可動装飾体２３５と、右可動装飾体駆動ユニット２３６及び左可動装飾体駆動ユニット２３７の構成を詳細に説明する。まず、主役物２１３の右可動装飾体２３４及び左可動装飾体２３５は、略水平方向に延びる水平状態と、略垂直方向に延びる垂直状態との間で回動可能とされている。これら右可動装飾体２３４及び左可動装飾体２３５は、図１５及び図２４に示すように、夫々水平状態となると、互いに連続した装飾体となるように構成されており、その前側には複数の文字（本例では、アルファベット）が立体的に造形され、それらの文字は右可動装飾体２３４及び左可動装飾体２３５とが一体となることで所定の単語となるようになっている。
【０１２１】
これら右可動装飾体２３４及び左可動装飾体２３５は、文字部２９０が透光性を有する部材とされた装飾部２９１と、装飾部２９１の後側に配置される枠状の本体部２９２と、本体部２９２内に配置され複数のＬＥＤ２９３を備えた発光基板２９４と、発光基板２９４の後側に配置され本体部２９２の枠内の閉鎖する背板２９５と、所定位置から後側に延出する回動軸２９６とを備えている。この装飾部２９１の後側にはネジ孔を有した取付ボス２９７が形成されていると共に、背板２９５には装飾部２９１の取付ボス２９７に対応した位置に貫通孔２９８が穿設されており、装飾部２９１と背板２９５とで本体部２９２及び発光基板２９４を挟んだ状態で、背板２９５の後側から貫通孔２９８を貫通して取付ボス２９７にビス（図示しない）をねじ込むことで、それらが一体に組み付けられるようになっている（図２１及び図２２参照）。
【０１２２】
なお、回動軸２９６は、背板２９５に設けられた取付孔に圧入固定されていると共に、回動軸２９６は、右可動装飾体２３４では右端部付近に、左可動装飾体２３５では左端部付近に夫々配置固定されている。また、夫々の背板２９５には、その後面の回動軸２９６付近の所定位置に突起２９９が形成されており、詳細は後述するが、この突起２９９は右可動装飾体２３４及び左可動装飾体２３５の夫々の回動位置を検出するためのものである。
【０１２３】
一方、右可動装飾体駆動ユニット２３６及び左可動装飾体駆動ユニット２３７は、右可動装飾体２３４及び左可動装飾体２３５を夫々の回動軸２９６の軸芯周りに回動させるものである。これら右可動装飾体駆動ユニット２３６及び左可動装飾体駆動ユニット２３７は、右可動装飾体２３４又は左可動装飾体２３５を回動させるための可動装飾体駆動モータ３１０と、可動装飾体駆動モータ３１０の回転軸３１１に固定される駆動ギヤ３１２と、駆動ギヤ３１２と噛合し駆動ギヤ３１２の回転を伝達する伝達ギヤ３１３と、伝達ギヤ３１３と噛合し右可動装飾体２３４又は左可動装飾体２３５の回動軸２９６が固定される出力ギヤ３１４と、後面に可動装飾体駆動モータ３１０を取り付け可能とされ、駆動ギア３１２、伝達ギア３１３、及び出力ギア３１４を収容可能なギヤケーシング３１５と、ギヤケーシング３１５の前側開口を閉鎖すると共に右可動装飾体２３４又は左可動装飾体２３５の回動軸２９６が通過可能な通孔３１６を有した前板３１７とを備えている（図２０、図２３及び図２４参照）。
【０１２４】
これら右可動装飾体駆動ユニット２３６又は左可動装飾体駆動ユニット２３７は、可動装飾体駆動モータ３１０が回転駆動させられると、その回転軸３１１に固定された駆動ギヤ３１２が回転し、駆動ギヤ３１２の回転が伝達ギヤ３１３を介して出力ギヤ３１４に回転伝達され、出力ギヤ３１４に固定された右可動装飾体２３４又は左可動装飾体２３５の回動軸２９６が出力ギア３１４と共に回転することで、夫々の回動軸２９６周りに右可動装飾体２３４又は左可動装飾体２３５を回動させることができるようになっている。
【０１２５】
また、右可動装飾体駆動ユニット２３６及び左可動装飾体駆動ユニット２３７には、右可動装飾体２３４又は左可動装飾体２３５の回動に伴って回転する回転部材３１８と、回転部材３１８の回転位置を検出する回転位置検出センサ３１９とを更に備えている。この回転部材３１８は、一端に右可動装飾体２３４又は左可動装飾体２３５の突起２９９と当接可能な当接ピン３２０と、他端に回転位置検出センサ３１９に検出される被検出部３２１とを有しており、当接ピン３２０と被検出部３２１との間の所定位置において回転可能に前板３１７の裏側に軸支されている。また、前板３１７には、回転部材３１８の当接ピン３２０が挿通可能な円弧状の長孔３２２が形成されており、右可動装飾体駆動ユニット２３６及び左可動装飾体駆動ユニット２３７が組み立てられた状態で、当接ピン３２０が長孔３２２を介して前板３１７の前側に突出するようになっていると共に、円弧状の長孔３２２により所定の回転角度の範囲内で回転するようになっている。
【０１２６】
この回転部材３１８は、図示するようにその軸支される回転軸で折れ曲がったような形状とされていると共に、当接ピン３２０側よりも被検出部３２１側の方が重くなるように形成されており、その重量差によって当接ピン３２０が上方に回転するようになっている。この回転部材３１８の当接ピン３２０は、夫々右可動装飾体２３４又は左可動装飾体２３５の突起２９９の下側に当接するような位置に配置されており、当接ピン３２０と被検出部３２１との重量差によって上方に回転しようとする当接ピン３２０の回転移動が突起２９９によって阻止されるようになっている。つまり、突起２９９の回転移動に伴って当接ピン３２０が回転移動するようになっており、回転部材３１８の回転位置を検出することで突起２９９、即ち、右可動装飾体２３４又は左可動装飾体２３５の回転位置を検出できるようになっている。
【０１２７】
なお、本例では、回転位置検出センサ３１９は、フォトセンサとされており、被検出部３２１がフォトセンサ用の遮蔽板とされている。また、本例では、右可動装飾体２３４及び左可動装飾体２３５が水平状態の時に、夫々の回転部材３１８の被検出部３２１が、回転位置検出センサ３１９により検出される、つまり、被検出部３２１がフォトセンサを遮蔽するようになっている。
【０１２８】
（主入賞口ユニット、遊技領域内装飾体、及び排出誘導部材の構成について）
次に、主入賞口ユニット２１４、遊技領域内装飾体２１５、及び排出誘導部材２１８の構成について、図２５乃至図３０に基づいて詳細に説明する。図２５は主入賞口ユニット、遊技領域内装飾体、及び排出誘導部材を斜め前方から示す斜視図である。図２６の（Ａ）は主入賞口ユニットにおける始動口の要部を拡大して示す斜視図であり、（Ｂ）はその側面図である。図２７の（Ａ）は主入賞口ユニットにおけるアタッカ装置の要部を示す斜視図であり、（Ｂ）はその側面図である。図２８は主入賞口ユニットを斜め後方下側から示す斜視図であり、図２９は遊技領域内装飾体を斜め後方から示す斜視図である。また、図３０は主入賞口ユニット、遊技領域内装飾体、及び排出誘導部材における遊技球の流路を示す断面図である。
【０１２９】
まず、主入賞口ユニット２１４は、図示するように、その前側の左右方向略中央上部に配置され上方に開口する第一始動口３３０と、第一始動口３３０の下方に配置され第一始動口３３０と一対の可動片３３１とで閉鎖又は開放可能な第二始動口３３２と、第二始動口３３２の下方に配置され左右方向に延びる矩形状の大入賞口３３３及び大入賞口３３３を閉鎖可能とし上辺が前方に回動する開閉扉３３４を有したアタッカ装置３３５と、アタッカ装置３３５の左右両側に配置され互いに離反するように斜め上方に開口する一般入賞口３３６とを備えている。なお、一対の可動片３３１は、夫々一端側が回転可能に軸支されていると共に、その回転軸とは偏芯した位置に後側に突出する突出ピンが夫々設けられている。
【０１３０】
また、主入賞口ユニット２１４は、第二始動口３３２を開閉する一対の可動片３３１を開閉駆動させる始動口開閉駆動ユニット３５０を更に備えている（図２６参照）。この始動口開閉駆動ユニット３５０は、前後方向に進退可能なプランジャ３５１を有した始動口ソレノイド３５２と、始動口ソレノイド３５２におけるプランジャ３５１の前後方向の進退に伴って水平方向且つ左右方向（遊技盤面に沿った方向）に延びる軸周りに回動し、一対の可動片３３１から後側に延在された突出ピン３３７を上下方向に移動可能な伝達部材３５３とを備えている。また、この伝達部材３５３には、その回動軸３５４よりも上側且つ後側にプランジャ３５１先端の鍔部３５５を係止する係止部３５６が形成されていると共に、回動軸３５４よりも前側に可動片３３１の突出ピン３３７が挿通される側面視コ字形状の伝達部３５７が形成されている。
【０１３１】
この主入賞口ユニット２１４では、始動口開閉駆動ユニット３５０における始動口ソレノイド３５２のプランジャ３５１が前進すると、伝達部材３５３の係止部３５６が前方に押圧されて、伝達部材３５３が図中反時計回りに回転し伝達部３５７の高さ位置が相対的に低くなると共に、伝達部３５７の下降に伴って可動片３３１の突出ピン３３７が下降し、可動片３３１の自由端側が上昇するように回動することとなる。これにより、一対の可動片３３１が夫々直立したような状態となり、一対の可動片３３１と第一始動口３３０とにより第二始動口３３２が閉鎖されるようになっている。なお、プランジャ３５１を後退させると、上述とは逆の動作をして、図示するように一対の可動片３３１の自由端側が互いに離反するように下降し、第二始動口３３２が開放された状態となるようになっている。また、第二始動口３３２が開放された状態では、その開口幅が、第一始動口３３０の開口幅よりも広くなり、遊技球が入賞し易くなるようになっている。
【０１３２】
また、図示するように、始動口ソレノイド３５２の下側には第二始動口センサ３５８が備えられており、第二始動口３３２に入賞した遊技球が、第二始動口センサ３５８の貫通孔を通過することで第二始動口センサ３５８に検出されると共に、主入賞口ユニット２１４の下側に形成された排出口３５９から排出されるようになっている（図２８参照）。
【０１３３】
また、主入賞口ユニット２１４のアタッカ装置３３５は、大入賞口３３３に入賞した遊技球を検出する大入賞口センサ３７０と、大入賞口３３３を閉鎖可能な左右方向に延びる矩形状とされ下辺側が軸支されると共に上辺側が直立状態から前方に回動可能とされた開閉扉３３４と、前後方向に進退可能なプランジャ３７１を有したアタッカソレノイド３７２と、アタッカソレノイド３７２におけるプランジャ３７１の前後方向の進退に伴って水平方向且つ左右方向（遊技盤面に沿った方向）に延びる軸周りに回動して開閉扉３３４を回動させる伝達部材３７３と、大入賞口センサ３７０、開閉扉３３４、アタッカソレノイド３７２、及び伝達部材３７３を支持すると共に大入賞口３３３に入賞した遊技球を大入賞口センサ３７０に検出されるように誘導する誘導路３７４を有したケーシング３７５とを備えている（図２７参照）。
【０１３４】
なお、本例では、図２７に示すように、アタッカソレノイド３７２及び伝達部材３７３は、大入賞口３３３よりも左側且つ後側となる位置にケーシング３７５に収容支持されている。また、開閉扉３３４の左側下端には、伝達部材３７３と当接する当接突起３７６が形成されている。更に、アタッカ装置３３５の伝達部材３７３には、その回動軸３７７よりも上側に配置されプランジャ３７１先端の鍔部３７８と係合する係合部３７９と、回動軸３７７よりも前側に配置され開閉扉３３４の当接突起３７６に上側から当接する当接ピン３８０とを備えている。
【０１３５】
このアタッカ装置３３５では、アタッカソレノイド３７２のプランジャ３７１が前進すると、伝達部材３７３の係合部３７９が前方に押圧され、伝達部材３７３が図中反時計回りに回転して伝達部材３７３の回動軸３７７の前方に設けられた当接ピン３８０が回転下降し、当接ピン３８０の下降により当接ピン３８０と当接する開閉扉３３４の当接突起３７６が下降して開閉扉３３４がその支持軸芯に対して時計回りに回動する。つまり、図示するような、開閉扉３３４の下辺を中心として上辺が前方に回転した開状態から、開閉扉３３４が略直立する閉状態へと回転し、大入賞口３３３が閉状態となるようになっている。なお、アタッカソレノイド３７２のプランジャ３７１が後退すると、上述とは逆の動作をして、開閉扉３３４の上辺が前方に回転して大入賞口３３３が開状態となるようになっている。
【０１３６】
なお、このアタッカ装置３３５は、大入賞口３３３の左右方向の幅が、一対の可動片３３１が開状態となり第二始動口３３２が開放状態となった時の幅よりも、更に広い幅とされており、遊技球がより入賞し易いようになっている。また、大入賞口３３３から進入し大入賞口センサ３７０で検出された遊技球は、そのまま主入賞口ユニット２１４の下方へ排出されるようになっている（図２８参照）。
【０１３７】
この主入賞口ユニット２１４には、前側に第一始動口３３０、大入賞口３３３、及び一般入賞口３３６が形成され後側にアタッカ装置３３５及び始動口開閉駆動ユニット３５０等が取り付けられる主入賞口ユニットベース３８１を更に備えている。この主入賞口ユニットベースの後側には、第一始動口３３０、第二始動口３３２、及び一般入賞口３３６と対応する位置に、遊技球を後方へ所定距離案内する球樋３８２が形成されている（図２５及び図２８参照）。また、主入賞口ユニットベース３８１の外形は、遊技盤ベース２１２に形成された対応する貫通口２１１の外形よりも大きい形状とされていると共に、後側に取り付けられるアタッカ装置３３５及び始動口開閉駆動ユニット３５０は、該当する貫通口２１１を通過可能な大きさとされている。
【０１３８】
また、主入賞口ユニット２１４は、図１０に示すように、その第一始動口３３０が、主役物２１３の球誘導路２５７における球流出口２６０の直下に位置するように遊技盤ベース２１２に取付固定されており、主役物２１３の球流出口２６０から流出した遊技球が、主入賞口ユニット２１４の第一始動口３３０に入賞する可能性が高くなるように配置されている。
【０１３９】
本例の主入賞口ユニット２１４は、遊技盤ベース２１２に、その前側から取り付けられるようになっており、詳述すると、遊技盤ベース２１２の前側から主入賞口ユニット２１４のアタッカ装置３３５及び始動口開閉駆動ユニット３５０を該当する貫通口２１１に挿通すると共に、主入賞口ユニットベース３８１の後面を遊技盤ベース２１２の前面と当接させ、図示しないビスにより主入賞口ユニットベース３８１を遊技盤ベース２１２に固定することで、主入賞口ユニット２１４が遊技盤ベース２１２に取り付けられるようになっている。この際に、遊技盤ベース２１２の該当する貫通口２１１は、主入賞口ユニットベース３８１によって前側からは見えないように隠蔽されるようになっている（図１１及び図１４参照）。
【０１４０】
次に、遊技領域内装飾体２１５は、特別図柄表示器３９０と、保留ランプ３９１と、発光装飾部３９３と、二つの一般入賞口３９４とを主に備えている。この特別図柄表示器３９０は、本例では複数の色を発光することのできる４つのＬＥＤから構成されており、第一始動口３３０及び第二始動口３３２への遊技球の入賞に応じて、夫々のＬＥＤが消灯、点灯、点滅、変色などをして、各始動口に対応した特別図柄を表示するようになっている。
【０１４１】
また、保留ランプ３９１は、４つのＬＥＤからなり、夫々のＬＥＤが消灯、点滅、点灯、することができ、それらＬＥＤの点滅、点灯の組合せにより、第一始動口３３０及び第二始動口３３２への遊技球の入賞による始動保留数を表示し、夫々４つまで始動保留を表示させることができるようになっている。
【０１４２】
更に、発光装飾部３９３は、前側に配置された透光性を有するレンズ部３９５の後側に、種々の色を発光することのできる複数のＬＥＤを有した発光基板３９６が配置されており、そのＬＥＤの発光により、光による装飾ができるようになっている。
【０１４３】
また、遊技領域内装飾体２１５の正面視左側の一般入賞口３９４は、入賞した遊技球が遊技領域内装飾体２１５の内部を通って、遊技領域内装飾体２１５の後側下部に開口した排出口３９７から外部へ排出されるようになっている。また、正面視右側の一般入賞口３９４は、入賞した遊技球が排出口３９７の略上側に設けられた排出部３９８から排出されるようになっており、この排出部３９８から遊技球がやや右側に誘導されるように外部へ排出されるようになっている。なお、この遊技領域内装飾体２１５には、正面視左側の一般入賞口３９４に入賞した遊技球を検出することができるように、センサ取付部３９９が備えられている（図２９参照）。
【０１４４】
この遊技領域内装飾体２１５は、その前後方向の略中間に、遊技盤ベース２１２の該当する貫通口２１１の外形よりも外方に延びるフランジ部４００が備えられており、遊技盤ベース２１２の前側から、その後側を該当する貫通口２１１に挿入し、フランジ部４００の後面側を遊技盤ベース２１２の前面側と当接させて貫通口２１１が前側から見えないように隠蔽すると共に、フランジ部４００をその前側からビス（図示しない）により遊技盤ベース２１２に取り付けることで、遊技領域内装飾体２１５が遊技盤ベース２１２に固定されるようになっている（図１１及び図１４参照）。
【０１４５】
次に、排出誘導部材２１８は、遊技盤ベース２１２を挟んで主入賞口ユニット２１４及び遊技領域内装飾体２１５の後側に配置され、遊技盤ベース２１２に固定された主入賞口ユニット２１４及び遊技領域内装飾体２１５の遊技盤ベース２１２の後面よりも後側に突出した部分の一部を覆うように形成され、主入賞口ユニット２１４及び遊技領域内装飾体２１５の入賞口に入賞した遊技球を誘導する各種誘導路を備えたものである（図２５参照）。
【０１４６】
この排出誘導部材２１８は、遊技盤ベース２１２の後面と当接し遊技盤ベース２１２に取付固定するためのビス（図示しない）を挿通する挿通孔４１０を有した取付固定部４１１と、主入賞口ユニット２１４の始動口開閉駆動ユニット３５０及びアタッカ装置３３５のケーシング３７５の一部を収容可能な収容凹部４１２と、主入賞口ユニット２１４の第一始動口３３０から続く球樋３８２と対応し第一始動口３３０に受入れられた遊技球を排出誘導部材２１８の下方へ誘導して排出する第一始動口排出誘導路４１３と、主入賞口ユニット２１４の正面視右側に配置された一般入賞口３３６から続く球樋３８２と対応し当該一般入賞口３３６に受入れられた遊技球を排出誘導部材２１８の下方から排出する右一般入賞口排出流路４１４と、主入賞口ユニット２１４の正面視左側に配置された一般入賞口３３６から続く球樋３８２と対応し当該一般入賞口３３６に受入れられた遊技球を排出誘導部材２１８の下方から排出する左一般入賞口排出流路４１５と、第一始動口排出流路４１３内を流通する遊技球を検出することで遊技球が第一始動口３３０に入賞したことを検出する第一始動口センサ４１６と、右一般入賞口排出流路４１４内の遊技球を検出することで右側の一般入賞口３３６に遊技球が入賞したことを検出する右一般入賞口センサ４１７ａと、左一般入賞口排出流路４１５内の遊技球を検出することで左側の一般入賞口３３６に遊技球が入賞したことを検出する左一般入賞口センサ４１７ｂとを備えている。
【０１４７】
この排出誘導部材２１８は、遊技領域内装飾体２１５の二つの一般入賞口３９４に受入れられた遊技球を、左一般入賞口排出流路４１５を介して排出誘導部材２１８の下方へ排出するようになっている。具体的には、左一般入賞口排出流路４１５には、遊技領域内装飾体２１５の排出口３９７から排出された遊技球を受けて左一般入賞口センサ４１７ｂへ導く第一誘導部４１８と、遊技領域内装飾体２１５の排出部３９８から排出された遊技球を受けて左一般入賞口センサ４１７ｂへ導く第二誘導部４１９とを備えている。なお、第二誘導部４１９には、第二誘導部４１９内の遊技球を検出できるようにセンサ取付部４２０が形成されている。
【０１４８】
この排出誘導部材２１８は、上述のように、主入賞口ユニット２１４及び遊技領域内装飾体２１５における第一始動口３３０、一般入賞口３３６，３９４に受入れられた遊技球を検出すると共に、排出誘導部材２１８の下方へ排出することができるようになっている（図３０参照）。なお、左一般入賞口センサは、主入賞口ユニット２１４の左側の一般入賞口３３６に受入れられた遊技球だけでなく、遊技領域内装飾体２１５の二つの一般入賞口３９４に受入れられた遊技球も検出することができるようになっており、入賞口の数に対して検出センサの数を少なくすることができるようになっている。また、遊技領域内装飾体２１５及び排出誘導部材２１８には、夫々センサ取付部３９９及びセンサ取付部４２０が設けられており、これらセンサ取付部３９９，４２０に遊技球の検出センサを取り付けることで、上記の何れの入賞口に遊技球が受入れられたのかを判別することができるようになり、各入賞口の差別化ができるようになっている。
【０１４９】
（後装飾体の構成について）
次に、後装飾体２１６の構成について、図３１乃至図５２、及び図５８に基づいて詳細に説明する。図３１は後装飾体を斜め前方から示す斜視図であり、図３２は後装飾体を分解して斜め前方から示す分解斜視図である。図３３は後装飾体を分解して斜め後方から示す分解斜視図である。図３４は後装飾体における第一装飾可動体ユニットを斜め前方から示す斜視図であり、図３５は第一装飾可動体ユニットを主要部毎に分解して斜め前方から示す分解斜視図である。図３６の（Ａ）は第一装飾可動体ユニットにおける第一装飾可動体を分解して斜め前方から示す分解斜視図であり、（Ｂ）は第一装飾可動体におけるレンズ部を示す拡大正面図である。図３７は第一装飾可動体ユニットにおける第一装飾可動体駆動ユニットを斜め前方から示す斜視図であり、図３８は第一装飾可動体駆動ユニットを斜め後方から示す斜視図である。図３９は第一装飾可動体駆動ユニットを主要部毎に分解して示す分解斜視図である。図４０は図３９よりも更に分解して示す分解斜視図である。
図４１の（Ａ）は第一装飾可動体駆動ユニットにおける第一昇降部材を示す斜視図であり、（Ｂ）は第一昇降部材の分解斜視図である。図４２は第一昇降部材における第一装飾可動体ソレノイドと回動伝達部材との関係を示す説明図である。図４３は後装飾体における第二装飾可動体ユニットを斜め前方から示す斜視図であり、図４４は第二装飾可動体ユニットを主要部毎に分解して斜め前方から示す分解斜視図である。図４５は第二装飾可動体ユニットにおける第二装飾可動体を分解して示す分解斜視図である。図４６は第二装飾可動体ユニットにおける第二装飾可動体駆動ユニットを斜め前方から示す斜視図である。図４７は第二装飾可動体駆動ユニットを主要部毎に分解して示す分解斜視図である。図４８は図４７よりも更に分解して示す分解斜視図である。図４９の（Ａ）は第二装飾可動体駆動ユニットにおける第二昇降部材を示す斜視図であり、（Ｂ）は第二昇降部材の分解斜視図である。図５０は第二昇降部材における第二装飾可動体ソレノイドとリンク機構との関係を示す説明図である。図５１は装飾可動体ユニットカバーを斜め前方から示す斜視図であり、図５２は装飾可動体ユニットカバーの要部を示す説明図である。図５８は第一装飾可動体におけるレンズ部の別の形態を示す拡大正面図である。
【０１５０】
この後装飾体２１６は、遊技盤ベース２１２の後面側で正面視中央よりも右側に取付固定され主に上下方向に移動し所定のキャラクタの上顎を含む顔上部が造形された第一装飾可動体４３０を有した第一装飾可動体ユニット４３１と、第一装飾可動体ユニット４３１に対して左右方向反対側の遊技盤ベース２１２の後面側に取付固定され第一装飾可動体４３０の下側で上下方向に移動し第一装飾可動体４３０と対応する下顎が造形された第二装飾可動体４３２を有した第二装飾可動体ユニット４３３と、第一装飾可動体ユニット４３１及び第二装飾可動体ユニット４３３の外周側と後側を覆い中央に矩形状の開口４３４を有すると共に後側に演出表示装置２１７が取付可能とされた装飾可動体ユニットカバー４３５と、第一装飾可動体ユニット４３１と装飾可動体ユニットカバー４３５との間に配置される第一装飾体４３６と、第二装飾可動体ユニット４３３と装飾可動体ユニットカバー４３５との間に配置される第二装飾体４３７とを備えている。
【０１５１】
この後装飾体２１６は、第一装飾可動体ユニット４３１の第一装飾可動体４３０と、第二装飾可動体ユニット４３３の第二装飾可動体４３２とを、互いに接近させたり離反させたりするように夫々を上下方向に移動させることで、所定のキャラクタの口が開いたり閉じたりするような演出動作をさせることができるものである。
【０１５２】
この後装飾体２１６の第一装飾可動体ユニット４３１は、所定のキャラクタの上顎から眉毛までの間の顔上部を造形した第一装飾可動体４３０と、第一装飾可動体４３０を上下方向に移動させると共に遊技盤５の左右方向に延びる軸周りに回動させ、遊技盤ベース２１２の後面側に取付固定される第一装飾可動体駆動ユニット４５０と、第一装飾可動体駆動ユニット４５０に取り付けて装飾するユニット装飾体４５１とを備えている。
【０１５３】
この第一装飾可動体ユニット４３１の第一装飾可動体４３０は、略黒色のレンズ部４５２を有したサングラス４５３と、キャラクタの目に相当する位置に貫通する開口孔４５４を有した第一装飾可動体本体４５５と、第一装飾可動体本体４５５の後側に配置され第一装飾可動体本体４５５の開口孔４５４を介して前側に所定色の光を発光可能な複数のＬＥＤ４５６が取り付けられた発光基板４５７と、発光基板４５７の後側に配置され、サングラス４５３、第一装飾可動体本体４５５、及び発光基板４５７と一体に組み付けられるベース部材４５８とを備えている。なお、第一装飾可動体４３０が本発明の「光学表示装置」に、ＬＥＤ４５６が「発光手段」に、夫々該当する。
【０１５４】
この第一装飾可動体４３０におけるサングラス４５３のレンズ部４５２は、図示するように、発光基板４５７のＬＥＤ４５６が発する光の色に応じて、その表面に模様が現れるようになっており、具体的には、ＬＥＤ４５６から赤色の光が発せられると「三日月状の模様」が現れ、ＬＥＤ４５６から青色の光が発せられるとキャラクタに関係する「所定の漢字」（ここでは、「所」）が現れるようになっている。このレンズ部４５２の構造は、上述の「三日月状の模様」と「所定の漢字」とが重なるように配置されていると共に、重なった部分が無色又は白色の透光性を有する白色部４５９とされ、「三日月状の模様」の重なっていない部分が赤色の透光性を有する赤色部４６０とされると共に、「所定の漢字」の重なっていない部分が青色の透光性を有する青色部４６１とされ、その他の部分が略黒色の黒色部４６２とされている。なお、赤色部４６０が本発明の「第一透過手段」に、青色部４６１が「第二透過手段」に、白色部４５９が「重複部」に、黒色部４６２が「遮光性の部材」に夫々該当する。これに伴って、赤色が本発明の「第一色」に、青色が「第二色」に対応している。
【０１５５】
本例ではレンズ部４５２が上述の構成となっているので、例えば、ＬＥＤ４５６から赤色の光を照射すると、白色部４５９と赤色部４６０では、その赤色光が透過し、青色部４６１及び黒色部４６２では赤色光が透過しないので、白色部４５９と赤色部４６０とによる「三日月状の模様」が現れる。一方、ＬＥＤ４５６から青色の光を照射すると、白色部４５９と青色部４６１では青色光が透過し、赤色部４６０と黒色部４６２では青色光が透過しないので、白色部４５９と青色部４６１とによる「所定の漢字」が現れることとなる。このように、有色光と透光性を有した有色部材とを適宜組み合わせることで、ＬＣＤ等の高価な表示装置を用いなくても容易に所望の模様を表示することができるようになっている。
【０１５６】
ところで、図３６における白色部４５９、赤色部４６０、及び青色部４６１を、図５８に示す白色部５００、赤色部５０１、及び青色部５０２とすることで、別途の新たな模様を用いた演出を行うことができる。白色部５００、赤色部５０１、及び青色部５０２における光の透過状態は、白色部４５９、赤色部４６０、及び青色部４６１と同様であり、ＬＥＤ４５６から赤色の光を照射すると、白色部５００と赤色部５０１とによる「三日月状の模様」（笑い顔の目の模様）が現れる。一方、ＬＥＤ４５６から青色の光を照射すると、白色部５００と青色部５０２とによる「泣き顔の目の模様」が現れる。このように、例えば液晶表示装置のような比較的重い表示装置を用いなくとも、シート状部材であるレンズ部４５２とＬＥＤ４５６のみでキャラクターの表情を変えることができるため、第一装飾可動体本体４５５のような可動する部材にも好適に表示装置を付加することができる。
また、比較的簡単にキャラクターの表情を変えられるから、遊技者の目を強く惹き付ける面白味のある遊技機が提供できる。
【０１５７】
なお、本例では、ＬＥＤ４５６が取り付けられる発光基板４５７が、遮光性の高い部材（本発明の「遮光手段」に該当）に形成されている。具体的には、発光基板４５７の裏側に遮光性の高い黒色塗料や黒色フィルム等からなる遮光部材が備えられている。これにより、レンズ部４５２の後側からＬＥＤ４５６以外の光が入光するのを防止して、ＬＥＤ４５６の消灯時に、黒色部４６２以外の白色部４５９、赤色部４６０、及び青色部４６１が見えるのを抑制するようになっている。また、光源としてＬＥＤ４５６を用いており、他の光源と比較して発光させる色の波長帯域が狭く他の色の成分の含有が少ないので、より確実に所望の色の模様を現すことができるようになっている。
【０１５８】
また、第一装飾可動体４３０には、そのベース部材４５８に第一装飾可動体駆動ユニット４５０に固定支持されるための固定部４６３が備えられており、この固定部４６３により第一装飾可動体４３０が第一装飾可動体駆動ユニット４５０に支持されるようになっている。
【０１５９】
次に、第一装飾可動体駆動ユニット４５０は、第一装飾可動体４３０を支持し第一装飾可動体４３０と共に上下方向に昇降する第一昇降部材４７０と、第一昇降部材４７０を上下方向に案内する案内レール４７１と、案内レール４７１の上端部を支持する第一上部支持部材４７２と、案内レール４７１の下端部を支持する第一下部支持部材４７３と、第一上部支持部材４７２及び第一下部支持部材４７３を上下方向に所定距離離間して支持すると共に遊技盤ベース２１２の後面側と当接する取付当接面４７４を有し板金を屈曲形成した第一ベース４７５と、第一ベース４７５の第一上部支持部材４７２の反対側に配置され第一ベース４７５及び第一上部支持部材４７２を貫通してその回転する駆動軸４７６が突出する第一駆動モータ４７７と、第一駆動モータ４７７の駆動軸４７６の回転に伴って回転する駆動プーリ４７８と、駆動プーリ４７８と対となるように第一下部支持部材４７３の近傍に配置される従動プーリ４７９と、駆動プーリ４７８と従動プーリ４７９とに巻き掛けられる駆動ベルト４８０と、駆動ベルト４８０の一部を第一昇降部材４７０と連結固定するベルト固定部４８１とを備えている。
【０１６０】
なお、本例では、第一駆動モータ４７７による駆動プーリ４７８の回転駆動は、第一駆動モータ４７７の駆動軸４７６に固定された駆動ギヤ４８２の回転が、駆動ギヤ４８２の上側に配置され駆動ギヤ４８２と噛合し駆動プーリ４７８と一体に回転する伝達ギヤ４８３に伝達されることで駆動プーリ４７８が回転駆動するようになっている。この駆動ギヤ４８２と伝達ギヤ４８３を用いることで、第一駆動モータ４７７の駆動軸４７６よりも駆動プーリ４７８の位置をより高くして第一昇降部材４７０の上下方向の可動範囲が大きくなるようになっている。また、駆動ベルト４８０の内周面には全周に亘って所定間隔で係合歯４８４が設けられていると共に、駆動プーリ４７８には係合歯４８４と係合する被係合歯４８５が歯車状に設けられており（図４０参照）、被係合歯４８５と係合歯４８４との係合により駆動プーリ４７８の回転駆動が確実に駆動ベルト４８０に伝達されるようになっている。なお、従動プーリ４７９は、被係合歯のない平プーリとされている。
【０１６１】
この第一装飾可動体駆動ユニット４５０には、第一昇降部材４７０が案内レール４７１の延びる軸方向周りに回転するのを防止するための第一回転防止手段４９０が更に備えられている。この第一回転防止手段４９０は、第一上部支持部材４７２及び第一下部支持部材４７３にその上端及び下端が支持されると共に案内レール４７１と略平行に配置される案内ロッド４９１と、前後方向から案内ロッド４９１に当接可能とされ第一昇降部材４７０に取り付けられる案内部材４９２とを備えている。この第一回転防止手段４９０は、図示するように、案内ロッド４９１が案内レール４７１の右側に所定距離離れて配置されていると共に、断面が略コ字状とされた案内部材４９２が案内ロッド４９１の前後側の何れかに当接することで、第一昇降部材４７０が案内レール４７１の軸芯周りに回転するのを良好に防止することができるようになっている。
【０１６２】
なお、本例では、案内レール４７１及び案内ロッド４９１は、共に金属製の丸棒とされており、案内レール４７１の表面には摺動抵抗を低減させるための摩擦低減層が形成されている。この摩擦低減層は、例えば、フッ素系樹脂としてポリテトラフルオロエチレン（ＰＴＦＥ，（例えば、テフロン（登録商標）））が所定の厚さでコーティングされており、これにより、案内レール４７１により案内される第一昇降部材４７０の動摩擦抵抗の値と静摩擦抵抗の値とを可及的に近づけることができ、静止した第一昇降部材４７０が移動を開始する際に滑らかに移動開始させることができると共に、案内レール４７１等の摩耗を低減させて耐久性を向上させることができるようになっている。また、案内ロッド４９１の表面は、クロムメッキが施されており、錆び等の腐食を防止して耐久性を高めると共に、案内レール４７１よりは安価なものとなりコストが増加するのを防止することができるようになっている。
【０１６３】
また、第一装飾可動体駆動ユニット４５０には、駆動ベルト４８０に所定の張力を付与するテンション機構４９３を更に備えている。このテンション機構４９３は、案内レール４７１に案内されると共に従動プーリ４７９を回転可能に支持する移動体４９４と、一端が移動体４９４に他端が第一ベース４７５に取付けられ移動体４９４を下方に付勢するテンションバネ４９５とを備えている。
【０１６４】
このテンション機構４９３の移動体４９４は、案内レール４７１を挿通する案内孔４９６と、下方に開放され従動プーリ４７９の両端から突出する軸部４９７を係止するフック状の係止部４９８と、案内孔４９６と係止部４９８との間に配置されテンションバネ４９５の一端を取付けるバネ取付部４９９とを備えている。これにより、従動プーリ４７９に駆動ベルト４８０を巻き掛けた状態で、従動プーリ４７９を移動体４９４に支持させることができ、組立が容易にできるようになっている。また、案内孔４９６と従動プーリ４７９の軸部４９７を係止する係止部４９８との間でテンションバネ４９５により駆動ベルト４８０を引張るようにしているので、案内レール４７１の軸に対して案内孔４９６の軸が大きく傾くのを防止すことができ、案内レール４７１における移動体４９４の摺動抵抗が増加するのを抑制し、移動体４９４がスムーズに移動できるようになっていると共に、移動体４９４の姿勢が大きく変化するのを防止して駆動ベルト４８０に良好にテンションがかかるようになっている。
【０１６５】
この第一装飾可動体駆動ユニット４５０は、図示するように、駆動プーリ４７８が上側に、従動プーリ４７９が下側に夫々配置されていると共に、駆動プーリ４７８と従動プーリ４７９とに巻き掛けられる駆動ベルト４８０が、従動プーリ４７９を介してテンション機構４９３により下方に付勢されるようになっている。また、駆動ベルト４８０に第一昇降部材４７０が固定されているので、第一昇降部材４７０及び第一装飾可動体４３０の重量が駆動ベルト４８０にかかり、駆動ベルト４８０の一方側のみに下方に引張る力が作用するようになっていると共に、第一昇降部材４７０及び第一装飾可動体４３０の重量により駆動ベルト４８０が駆動プーリ４７８に強く巻き掛けられるようになっている。
【０１６６】
一方、上側の駆動プーリ４７８には、駆動ベルト４８０の係合歯４８４と係合する被係合歯４８５が備えられており、第一昇降部材４７０及び第一装飾可動体４３０の重量によって駆動ベルト４８０が駆動プーリ４７８に強く巻き掛けられることで駆動ベルト４８０の係合歯４８４と駆動プーリ４７８の被係合歯４８５との係合がより強くなると共に、第一駆動モータ４７７による駆動プーリ４７８の回転が阻止されることで、駆動ベルト４８０の回転が阻止され、第一昇降部材４７０及び第一装飾可動体４３０の重量が駆動ベルト４８０を介して駆動プーリ４７８に支持されることとなり、第一昇降部材４７０及び第一装飾可動体４３０の重量が下側の従動プーリ４７９やテンション機構４９３にかからないようになっている。これにより、テンション機構４９３に余分な負荷をかけることなく良好に第一昇降部材４７０等を上下動させることができると共に、テンション機構４９３による付勢力を最小限のものとしてテンション機構４９３等にかかるコストを低減させることができるようになっている。
【０１６７】
ところで、駆動プーリ４７８と従動プーリ４７９及びテンション機構４９３の上下配置を逆にした場合、第一昇降部材４７０及び第一装飾可動体４３０の重量が駆動ベルト４８０を介して従動プーリ４７９にかかるが、従動プーリ４７９には、駆動ベルト４８０の係合歯４８４と係合する被係合歯が備えられておらず、また、従動プーリ４７９は自由回転するようになっているので、従動プーリ４７９により第一昇降部材４７０及び第一装飾可動体４３０の重量を支持することができず、第一昇降部材４７０が降下すると共に、駆動ベルト４８０が所定方向に回転することとなる。また、下側の駆動プーリ４７８では駆動ベルト４８０が第一昇降部材４７０及び第一装飾可動体４３０の重量により下方に引張られるので、駆動プーリ４７８での駆動ベルト４８０の巻き掛け力が弱くなる。つまり、駆動ベルト４８０の係合歯４８４と駆動プーリ４７８の被係合歯４８５との係合が弱くなり、互いに滑り易くなる。
【０１６８】
そして、駆動プーリ４７８と駆動ベルト４８０との間で滑が発生すると、駆動ベルト４８０が第一駆動モータ４７７の回転に関係なく、第一昇降部材４７０及び第一装飾可動体４３０の重量によって回転してしまい、第一昇降部材４７０が下降することとなり、第一昇降部材４７０を良好に上下動させることができなくなる。そこで、テンション機構４９３による付勢力を大きくすることで、駆動プーリ４７８と駆動ベルト４８０との滑りを防止することが考えられるが、付勢力を大きくすると、テンション機構４９３だけでなく、駆動プーリ４７８、従動プーリ４７９、駆動ベルト４８０、及び第一ベース４７５等の強度を高くする必要があり、第一装飾可動体駆動ユニット４５０のコストが高くなる問題が発生することとなり、本例のように、駆動プーリ４７８を上側に、従動プーリ４７９を下側に夫々配置することが望ましい。
【０１６９】
本例の第一装飾可動体駆動ユニット４５０では、また、第一ベース４７５に、第一上部支持部材４７２と第一下部支持部材４７３の取付位置を位置決めするための位置決め孔５１０が穿設されていると共に、第一上部支持部材４７２及び第一下部支持部材４７３の第一ベース４７５との当接部には、位置決め孔５１０と嵌合する位置決め突起５１１が夫々形成されている。これにより、第一ベース４７５の位置決め孔５１０に、対応する第一上部支持部材４７３及び第一下部支持部材４７３の位置決め突起５１１を嵌合させた上で、夫々を第一ベース４７５に固定することで、第一上部支持部材４７２及び第一下部支持部材４７３を所定位置に正確に位置させることができ、案内レール４７１、駆動プーリ４７８、及び従動プーリ４７９等の組立精度を高精度且つ容易に組み立てられるようになっている。なお、第一ベース４７５の取付当接面４７４には、遊技盤ベース２１２に取付固定するための取付孔５１２が穿設されている。
【０１７０】
この第一装飾可動体駆動ユニット４５０では、図示するように、その第一ベース４７５の取付当接面４７４が、第一ベース４７５の上部に備えられており、遊技盤ベース２１２に対して、第一ベース４７５の上部のみが取付固定されるようになっている。これにより、遊技盤ベース２１２への取付箇所を少なくすることができ、組立コストを低減させることができるようになっている。また、第一ベース４７５の上部で遊技盤ベース２１２に固定するようにしている、つまり、第一ベース４７５にかかる重量の重心よりも上側で固定しているので、仮に第一ベース４７５がその取付当接面４７４を中心として左右に振れても、その重心にかかる重力により元の位置に復帰しようとするので第一ベース４７５をその上部のみで固定しても、第一ベース４７５を良好な状態で固定することができるようになっている。即ち、第一装飾可動体駆動ユニット４５０を、遊技盤ベース２１２に良好に取付固定できるようになっている。
【０１７１】
次に、第一装飾可動体駆動ユニット４５０の第一昇降部材４７０は、第一装飾可動体４３０が取付支持される棒状の支持シャフト５３０と、支持シャフト５３０に挿通される二つの支持ブッシュ５３１と、案内レール４７１に挿通される二つの支持ブッシュ５３２と、案内レール４７１を挿通可能な挿通孔５３３を有し案内レール４７１に挿通される二つの支持ブッシュ５３２を上下方向に所定間隔離れて位置させると共に、支持シャフト５３０に挿通される二つの支持ブッシュ５３１を左右方向に所定間隔離れて位置させることの可能な本体部５３４と、本体部５３４の後側に配置され本体部５３４と協働して案内レール４７１に挿通される二つの支持ブッシュ５３２及び支持シャフト５３０に挿通される二つの支持ブッシュ５３１の位置を固定するブッシュ固定部材５３５とを備えている。
【０１７２】
この第一昇降部材４７０の本体部５３４には、その挿通孔５３３の両端に案内レール４７１に挿通される支持ブッシュ５３２を嵌合可能な段付凹部５３６が形成されていると共に、挿通孔５３３の内径は案内レール４７１が接触しない径とされ、挿通孔５３３と案内レール４７１との間には所定寸法のクリアランスが形成されるようになっている。また、本体部５３４には、支持シャフト５３０に挿通される二つの支持ブッシュ５３１を嵌合可能な半円筒状の嵌合凹部５３７が、左右方向に所定距離離れて対向するように形成されていると共に、対向する二つの嵌合凹部５３７の間には、半円筒状の収容部５３８が形成されており、支持ブッシュ５３１に挿通支持された支持シャフト５３０が本体部５３４と接触しないようになっている。
【０１７３】
一方、第一昇降部材４７０のブッシュ固定部材５３５には、前側に延在された平面視略Ｕ字状の抜止片５３９が二つ形成されていると共に、これら抜止片５３９の距離が本体部５３４の挿通孔５３３の長さに対応した距離とされており、本体部５３４にブッシュ固定部材５３５を組み付けることで、二つの抜止片５３９によって挿通孔５３３の段付凹部５３６に嵌合された支持ブッシュ５３２が、段付凹部５３６から抜けるのを防止するようになっている。
【０１７４】
また、ブッシュ固定部材５３５には、その前側の本体部５３４の二つの嵌合凹部５３７と対応する位置に、支持シャフト５３０に挿通される二つの支持ブッシュ５３１を嵌合可能な半円筒状の嵌合凹部５４０が形成されていると共に、二つの嵌合凹部５４０の間には半円筒状の収容部５４１が形成されている。このブッシュ固定部材５３５の嵌合凹部５４０と本体部５３４の嵌合凹部５３７に夫々支持シャフト５３０に挿通される支持ブッシュ５３１を嵌合させ上で、本体部５３４にブッシュ固定部材５３５を組付固定することで、二つの支持ブッシュ５３１が所定距離離反した位置に固定支持されるようになっている。
また、本体部５３４の収容部５３８とブッシュ固定部材５３５の収容部５４１とにより、二つの支持ブッシュ５３１の間では支持シャフト５３０との間に所定寸法のクリアランスが形成されるようになっている。
【０１７５】
更に、ブッシュ固定部材５３５には、その後側に、下側の抜止片５３９よりも下方に延び、上下方向に延びる溝を有した延出部５４２が形成されている。この延出部５４２は、第一装飾可動体４３０の発光基板４５７に接続される複数の配線コードを保持するものである。
【０１７６】
上述のように、本体部５３４にブッシュ固定部材５３５を組み付けることで、各支持ブッシュ５３１，５３２が所定の位置に固定支持されると共に、夫々二つの支持ブッシュ５３２及び支持ブッシュ５３１によって、案内レール４７１及び支持シャフト５３１が相対回転可能且つそれらの軸方向に相対摺動可能に支持されるようになっている。なお、本体部５３４の挿通孔５３３の長さは、案内レール４７１に案内される第一昇降部材４７０が他の部材に支障を来たさない最大の長さとされており、これによって、二つの支持ブッシュ５３２の距離を可及的に長くすることができ、案内レール４７１に対する第一昇降部材４７０のガタツキを小さくすることができるようになっている。
【０１７７】
本例の第一昇降部材４７０には、本体部５３４に取付けられ前後方向に進退可能なプランジャ５５０を有した第一装飾可動体ソレノイド５５１と、一端が第一装飾可動体ソレノイド５５１におけるプランジャ５５０先端の鍔部５５２に係止され他端が支持シャフト５３１に一体回転可能に固定される回動伝達部材５５３とを更に備えている。この第一装飾可動体ソレノイド５５１は、支持シャフト５３０の下方で支持シャフト５３０とプランジャ５５０とが交差するような位置に配置されており、プランジャ５５０を進退させることで回動伝達部材５５３を介して支持シャフト５３０をその軸周りに所定角度範囲内で回動させることができるようになっている。なお、本体部５３４及びブッシュ固定部材５３５には、回動伝達部材５５３の一部を収容可能な収容窪部５５４が夫々形成されており、この収容窪部５５４に回動伝達部材５５３を収容させることで、回動伝達部材５５３の左右方向の移動を規制することができる、つまり、支持シャフト５３０の左右方向（その軸方向）の移動が規制されるようになっており、支持シャフト５３０が本体部５３４及びブッシュ固定部材５３５により固定支持された支持ブッシュ５３１から抜けないようになっている。
【０１７８】
なお、第一昇降部材４７０の本体部５３４には、挿通孔５３３の前面側に駆動ベルト４８０を固定するベルト固定部４８１が取付けられていると共に、第一装飾可動体ソレノイド５５１が取付けられる取付部５５５の下側に第一回転防止手段４９０の案内部材４９２が取付けられている。また、図中符号５５６は、本体部５３４の前側に取付けられる装飾体である。
【０１７９】
また、第一昇降部材４７０には、そのブッシュ固定部材５３５の後側に位置検出片５５７が設けられている。この位置検出片５５７は、装飾可動体ユニットカバー４３５の所定位置に取付けられる第一装飾可動体位置検出センサ５５８に検出されるようになっており、本例では、第一昇降部材４７０が上側端に位置した時に、第一装飾可動体位置検出センサ５５８によって検出されるようになっている。
【０１８０】
この第一昇降部材４７０は、図示するように、案内レール４７１を挿通する挿通孔５３３の左側に支持シャフト５３０を大きく延びださせて第一装飾可動体４３０を支持すると共に、挿通孔５３３の右側に第一装飾可動体ソレノイド５５１を配置して、挿通孔５３３を挟んで、第一昇降部材４７０の左右の重量バランスのアンバランスが少なくなるようになっており、案内レール４７１や支持ブッシュ５３２が偏摩耗するのを抑制するようにしている。
【０１８１】
次に、第一装飾可動体ユニット４３１のユニット装飾体４５１は、図示するように、第一装飾可動体駆動ユニット４５０の左側面に取付けられ、第一装飾可動体駆動ユニット４５０の案内レール４７１、従動プーリ４７９、駆動ベルト４８０、及びテンション機構４９３等が遊技盤５の前側から視認し難くなるように、それらを覆うと共に、表面の装飾により第一装飾可動体ユニット４３１を装飾するものである。このユニット装飾体４５１には、第一装飾可動体駆動ユニット４５０から延びる支持シャフト５３０が通過可能とされていると共に、支持シャフト５３０が上下方向に移動できるように、上下方向に延びた開口部５７０を備えている。
【０１８２】
本例の第一装飾可動体ユニット４３１は、第一駆動モータ４７７の回転駆動により、第一昇降部材４７０、つまり、第一装飾可動体４３０を上下方向に移動させることができると共に、第一装飾可動体ソレノイド５５１により第一装飾可動体４３０を前後方向に回動させることができるようになっている。
【０１８３】
続いて、後装飾体２１６の第二装飾可動体ユニット４３３は、第一装飾可動体４３０の所定のキャラクタの下顎部分を造形した第二装飾可動体４３２と、第二装飾可動体を上下方向に移動させると共に遊技盤５の左右方向に延びる軸周りに回動させ、遊技盤ベース２１２の後面側に取付固定される第二装飾可動体駆動ユニット６１０と、第二装飾可動体駆動ユニット６１０に取り付けて装飾するユニット装飾体６１１とを備えている。
【０１８４】
この第二装飾可動体ユニット４３３の第二装飾可動体４３２は、所定のキャラクタの唇と下歯が造形された第二装飾可動体本体６１２と、第二装飾可動体本体６１２の顎内に配置されると共に所定のキャラクタの舌として造形され透光性を有した舌部材６１３と、舌部材６１３と第二装飾可動体本体６１２との間に配置され舌部材６１３に向かって光を照射するように複数のＬＥＤ６１４を有した発光基板６１５と、発光基板６１５と舌部材６１３との間に配置され第二装飾可動体駆動ユニット６１０に支持されると共に発光基板６１５からの光を拡散させるレンズ部６１６を有したベース部材６１７とを備えている。
【０１８５】
この第二装飾可動体４３２は、発光基板６１５のＬＥＤ６１４が発光することで、その舌部材６１３が光るようになっている。
【０１８６】
また、第二装飾可動体４３２には、そのベース部材６１７に第二装飾可動体駆動ユニット６１０に固定支持されるための固定部６１８が備えられており、この固定部６１８により第二装飾可動体４３２が第二装飾可動体駆動ユニット６１０に支持されるようになっている。
【０１８７】
次に、第二装飾可動体駆動ユニット６１０は、第二装飾可動体４３２を支持し第二装飾可動体４３２と共に上下方向に昇降する第二昇降部材６３０と、第二昇降部材６３０を上下方向に案内する案内レール６３１と、案内レール６３１の上端部を支持する第二上部支持部材６３２と、案内レール６３１の下端部を支持する第二下部支持部材６３３と、第二上部支持部材６３２及び第二下部支持部材６３３を上下方向に所定距離離間して支持すると共に遊技盤ベース２１２の後面側と当接する取付当接面６３４を有し板金を屈曲形成した第二ベース６３５と、第二ベース６３５の第二上部支持部材６３２の反対側に配置され第二ベース６３５及び第二上部支持部材６３２を貫通してその回転する駆動軸６３６が突出する第二駆動モータ６３７と、第二駆動モータ６３７の駆動軸６３６の回転に伴って回転する駆動プーリ６３８と、駆動プーリ６３８と対となるように第二下部支持部材６３３の近傍に配置される従動プーリ６３９と、駆動プーリ６３８と従動プーリ６３９とに巻き掛けられる駆動ベルト６４０と、駆動ベルト６４０の一部を第二昇降部材６３０と連結固定するベルト固定部６４１とを備えている。
【０１８８】
なお、本例では、第二駆動モータ６３７による駆動プーリ６３８の回転駆動は、第二駆動モータ６３７の駆動軸６３６に固定された駆動ギヤ６４２の回転が、駆動ギヤ６４２の略下側に配置され駆動ギヤ６４２と噛合し駆動プーリ６３８と一体に回転する伝達ギヤ６４３に伝達されることで駆動プーリ６３８が回転駆動するようになっている。また、駆動ベルト６４０の内周面には全周に亘って所定間隔で係合歯６４４が設けられていると共に、駆動プーリ６３８には係合歯６４４と係合する被係合歯６４５が歯車状に設けられており、被係合歯６４５と係合歯６４４との係合により駆動プーリ６３８の回転駆動が確実に駆動ベルト６４０に伝達されるようになっている。なお、従動プーリ６３９は、被係合歯のない平プーリとされている。
【０１８９】
この第二装飾可動体駆動ユニット６１０には、第二昇降部材６３０が案内レール６３１の延びる軸方向周りに回転するのを防止するための第二回転防止手段６５０が更に備えられている。この第二回転防止手段６５０は、第二上部支持部材６３２及び第二下部支持部材６３３にその上端及び下端が支持されると共に案内レール６３１と略平行に配置される案内ロッド６５１と、左右方向から案内ロッド６５１に当接可能とされ第二昇降部材６３０に取り付けられる案内部材６５２とを備えている。この第二回転防止手段６５０は、図示するように、案内ロッド６５１が案内レール６３１の後側に所定距離離れて配置されていると共に、断面が略コ字状とされた案内部材６５２が案内ロッド６５１の左右側の何れかに当接することで、第二昇降部材６３０が案内レール６３１の軸芯周りに回転するのを良好に防止することができるようになっている。
【０１９０】
なお、本例では、案内レール６３１及び案内ロッド６５１は、共に金属製の丸棒とされており、案内レール６３１の表面には摺動抵抗を低減させるための摩擦低減層が形成されている。この摩擦低減層は、例えば、フッ素系樹脂としてポリテトラフルオロエチレン（ＰＴＦＥ，（例えば、テフロン（登録商標）））が所定の厚さでコーティングされており、これにより、案内レール６３１により案内される第二昇降部材６３０の動摩擦抵抗の値と静摩擦抵抗の値とを可及的に近づけることができ、静止した第二昇降部材６３０が移動を開始する際に滑らかに移動開始させることができると共に、案内レール６３１等の摩耗を低減させて耐久性を向上させることができるようになっている。また、案内ロッド６５１の表面は、クロムメッキが施されており、錆び等の腐食を防止して耐久性を高めると共に、案内レール６３１よりは安価なものとなりコストが増加するのを防止することができるようになっている。
【０１９１】
また、第二装飾可動体駆動ユニット６１０には、駆動ベルト６４０に所定の張力を付与するテンション機構６５３を更に備えている。このテンション機構６５３は、第一装飾可動体駆動ユニット４５０に備えられたテンション機構４９３と同じ機構であり、案内レール６３１に案内されると共に従動プーリ６３９を回転可能に支持する移動体６５４と、一端が移動体６５４に他端が第二ベース６３５に取付けられ移動体６５４を下方に付勢するテンションバネ６５５とを備えている。
【０１９２】
このテンション機構６５３の移動体６５４は、案内レール６３１を挿通する案内孔６５６と、下方に開放され従動プーリ６３９の両端から突出する軸部６５７を係止するフック状の係止部６５８と、案内孔６５６と係止部６５８との間に配置されテンションバネ６５５の一端を取付けるバネ取付部６５９とを備えている。これにより、従動プーリ６３９に駆動ベルト６４０を巻き掛けた状態で、従動プーリ６３９を移動体６５４に支持させることができ、組立が容易にできるようになっている。また、案内孔６５６と従動プーリ６３９の軸部６５７を係止する係止部６５８との間でテンションバネ６５５により駆動ベルト６４０を引張るようにしているので、案内レール６３１の軸に対して案内孔６５６の軸が大きく傾くのを防止すことができ、案内レール６３１における移動体６５４の摺動抵抗が増加するのを抑制し、移動体６５４がスムーズに移動できるようになっていると共に、移動体６５４の姿勢が大きく変化するのを防止して駆動ベルト４８０に良好にテンションがかかるようになっている。
【０１９３】
この第二装飾可動体駆動ユニット６１０は、図示するように、駆動プーリ６３８が上側に、従動プーリ６３９が下側に夫々配置されていると共に、駆動プーリ６３８と従動プーリ６３９とに巻き掛けられる駆動ベルト６４０が、従動プーリ６３９を介してテンション機構６５３により下方に付勢されるようになっている。また、駆動ベルト６４０に第二昇降部材６３０が固定されているので、第二昇降部材６３０及び第二装飾可動体４３２の重量が駆動ベルト６４０にかかり、駆動ベルト６４０の一方側のみに下方に引張る力が作用するようになっていると共に、第二昇降部材６３０及び第二装飾可動体４３２の重量により駆動ベルト６４０が駆動プーリ６３８に強く巻き掛けられるようになっている。
【０１９４】
一方、上側の駆動プーリ６３８には、駆動ベルト６４０の係合歯６４４と係合する被係合歯６４５が備えられており、第二昇降部材６３０及び第二装飾可動体４３２の重量によって駆動ベルト６４０が駆動プーリ６３８に強く巻き掛けられることで駆動ベルト６４０の係合歯６４４と駆動プーリ６３８の被係合歯６４５との係合がより強くなると共に、第二駆動モータ６３７による駆動プーリ６３８の回転が阻止されることで、駆動ベルト６４０の回転が阻止され、第二昇降部材６３０及び第二装飾可動体４３２の重量が駆動ベルト６４０を介して駆動プーリ６３８に支持されることとなり、第二昇降部材６３０及び第二装飾可動体４３２の重量が下側の従動プーリ６３９やテンション機構６５３にかからないようになっている。これにより、テンション機構６５３に余分な負荷をかけることなく良好に第二昇降部材６３０等を上下動させることができると共に、テンション機構６５３による付勢力を最小限のものとしてテンション機構６５３等にかかるコストを低減させることができるようになっている。
【０１９５】
ところで、駆動プーリ６３８と従動プーリ６３９及びテンション機構６５３の上下配置を逆にした場合、第二昇降部材６３０及び第二装飾可動体４３２の重量が駆動ベルト６４０を介して従動プーリ６３９にかかるが、従動プーリ６３９には、駆動ベルト６４０の係合歯６４４と係合する被係合歯６４５が備えられておらず、また、従動プーリ６３９は自由回転するようになっているので、従動プーリ６３９により第二昇降部材６３０及び第二装飾可動体４３２の重量を支持することができず、第二昇降部材６３０が降下すると共に、駆動ベルト６４０が所定方向に回転することとなる。また、下側の駆動プーリ６３８では駆動ベルト６４０が第二昇降部材６３０及び第二装飾可動体４３２の重量により下方に引張られるので、駆動プーリ６３８での駆動ベルト６４０の巻き掛け力が弱くなる。つまり、駆動ベルト６４０の係合歯６４４と駆動プーリ６３８の被係合歯６４５との係合が弱くなり、互いに滑り易くなる。
【０１９６】
そして、駆動プーリ６３８と駆動ベルト６４０との間で滑が発生すると、駆動ベルト６４が第二駆動モータ６３７の回転に関係なく、第二昇降部材６３０及び第二装飾可動体４３２の重量によって回転してしまい、第二昇降部材６３０が下降することとなり、第二昇降部材６３０を良好に上下動させることができなくなる。そこで、テンション機構６５３による付勢力を大きくすることで、駆動プーリ６３８と駆動ベルト６４０との滑りを防止することが考えられるが、付勢力を大きくすると、テンション機構６５３だけでなく、駆動プーリ６３８、従動プーリ６３９、駆動ベルト６４０、及び第二ベース６３５等の強度を高くする必要があり、第二装飾可動体駆動ユニット４３３のコストが高くなる問題が発生することとなり、本例のように、駆動プーリ６３８を上側に、従動プーリ６３９を下側に夫々配置することが望ましい。
【０１９７】
本例の第二装飾可動体駆動ユニット６１０では、また、第二ベース６３５に、第二上部支持部材６３２と第二下部支持部材６３３の取付位置を位置決めするための位置決め孔６７０が穿設されていると共に、第二上部支持部材６３２及び第二下部支持部材６３３の第二ベース６３５との当接部には、位置決め孔６７０と嵌合する位置決め突起６７１が夫々形成されている。これにより、第二ベース６３５の位置決め孔６７０に、対応する第二上部支持部材６３２及び第二下部支持部材６３３の位置決め突起６７１を嵌合させた上で、夫々を第二ベース６３５に固定することで、第二上部支持部材６３２及び第二下部支持部材６３３を所定位置に正確に位置させることができ、案内レール６３１、駆動プーリ６３８、及び従動プーリ６３９等の組立精度を高精度且つ容易に組み立てられるようになっている。なお、第二ベース６３５の取付当接面６３４には、遊技盤ベース２１２に取付固定するための取付孔６７２が穿設されている。
【０１９８】
この第二装飾可動体駆動ユニット６１０では、図示するように、その第二ベース６３５の取付当接面６３４が、第二ベース６３５の上部に備えられており、遊技盤ベース２１２に対して、第二ベース６３５の上部のみが取付固定されるようになっている。これにより、遊技盤ベース２１２への取付箇所を少なくすることができ、組立コストを低減させることができるようになっている。また、第二ベース６３５の上部で遊技盤ベース２１２に固定するようにしている、つまり、第二ベース６３５にかかる重量の重心よりも上側で固定しているので、仮に第二ベース６３５がその取付当接面６３４を中心として左右に振れても、その重心にかかる重力により元の位置に復帰しようとするので、第二ベース６３５をその上部のみで固定しても、第二ベース６３５を良好な状態で固定することができるようになっている。即ち、第二装飾可動体駆動ユニット６１０を、遊技盤ベース２１２に良好に取付固定できるようになっている。
【０１９９】
次に、第二装飾可動体駆動ユニット６１０の第二昇降部材６３０は、第二装飾可動体４３２が取付支持される棒状の支持シャフト６９０と、支持シャフト６９０に挿通される二つの支持ブッシュ６９１と、案内レール６３１に挿通される二つの支持ブッシュ６９２と、案内レール６３１を挿通可能な挿通孔６９３を有し案内レールに挿通される二つの支持ブッシュ６９２を上下方向に所定間隔離れて位置させると共に、支持シャフト６９０に挿通される二つの支持ブッシュ６９１を左右方向に所定間隔離れて位置させることの可能な本体部６９４と、本体部６９４の後側に配置され本体部６９４と協働して案内レール６３１に挿通される二つの支持ブッシュ６９２及び支持シャフト６９０に挿通される二つの支持ブッシュ６９１の位置を固定するブッシュ固定部材６９５とを備えている。
【０２００】
この第二昇降部材６３０の本体部６９４には、その挿通孔６９３の両端に案内レール６３１に挿通される支持ブッシュ６９２を嵌合可能な段付凹部６９６が形成されていると共に、挿通孔６９３の内径は案内レール６３１が接触しない径とされ、挿通孔６９３と案内レール６３１との間には所定寸法のクリアランスが形成されるようになっている。また、本体部６９４には、支持シャフト６９０に挿通される二つの支持ブッシュ６９１を嵌合可能な半円筒状の嵌合凹部６９７が、左右方向に所定距離離れて対向するように形成されていると共に、対向する二つの嵌合凹部６９７の間には、半円筒状の収容部６９８が形成されており、支持ブッシュ６９１に挿通支持された支持シャフト６９０が本体部６９４と接触しないようになっている。
【０２０１】
一方、第二昇降部材６３０のブッシュ固定部材６９５には、前側に延在された平面視略Ｕ字状の抜止片６９９が二つ形成されていると共に、これら抜止片６９９の距離が本体部６９４の挿通孔６９３の長さに対応した距離とされており、本体部６９４にブッシュ固定部材６９５を組み付けることで、二つの抜止片６９９によって挿通孔６９３の段付凹部６９６に嵌合された支持ブッシュ６９２が、段付凹部６９６から抜けるのを防止するようになっている。
【０２０２】
また、ブッシュ固定部材６９５には、その前側の本体部６９４の二つの嵌合凹部６９７と対応する位置に、支持シャフト６９０に挿通される二つの支持ブッシュ６９１を嵌合可能な半円筒状の嵌合凹部７００が形成されていると共に、二つの嵌合凹部７００の間には半円筒状の収容部７０１が形成されている。このブッシュ固定部材６９５の嵌合凹部７００と本体部６９４の嵌合凹部６９７に夫々支持シャフト６９０に挿通される支持ブッシュ６９１を嵌合させ上で、本体部６９４にブッシュ固定部材６９５を組付固定することで、二つの支持ブッシュ６９１が左右方向に所定距離離反した位置に固定支持されるようになっている。また、本体部６９４の収容部６９８とブッシュ固定部材６９５の収容部７０１とにより、二つの支持ブッシュ６９１の間では支持シャフト６９０との間に所定寸法のクリアランスが形成されるようになっている。
【０２０３】
上述のように、本体部６９４にブッシュ固定部材６９５を組み付けることで、各支持ブッシュ６９２，６９１が所定の位置に固定支持されると共に、夫々二つの支持ブッシュ６９２及び支持ブッシュ６９１によって、案内レール６３１及び支持シャフト６９０が相対回転可能且つそれらの軸方向に相対摺動可能に支持されるようになっている。なお、本体部６９４の挿通孔６９３の長さは、案内レール６３１に案内される第二昇降部材６３０が他の部材に支障を来たさない最大の長さとされており、これによって、二つの支持ブッシュ６９２の距離を可及的に長くすることができ、案内レール６３１に対する第二昇降部材６３０のガタツキを小さくすることができるようになっている。
【０２０４】
本例の第二昇降部材６３０には、ブッシュ固定部材６９５に取付けられ上下方向に進退可能なプランジャ７１０を有した第二装飾可動体ソレノイド７１１と、第二装飾可動体ソレノイド７１１におけるプランジャ７１０の進退により支持シャフト６９０を回動させるリンク機構７１２とを更に備えている。この第二装飾可動体ソレノイド７１１は、プランジャ７１０の先端に鍔部７１３が形成されていると共に、プランジャ７１０を前進させる方向に付勢するバネ７１４が備えられており、本例では、プランジャ７１０が第二装飾可動体ソレノイド７１１の下側から上下方向に進退するようになっている。
【０２０５】
また、リンク機構７１２は、前後方向に延びるように配置され一端側（後側）がブッシュ固定部材６９５に回転可能に支持され、一端側と他端側との間に第二装飾可動体ソレノイド７１１におけるプランジャ７１０先端の鍔部７１３を係止する係止部７１５を有すると共に、他端側に長孔からなる連結部７１６を有した第一棹部材７１７と、第一棹部材７１７の連結部７１６と連結する被連結部７１８が一端側に形成され他端側が支持シャフト６９０に固定される第二棹部材７１９とから構成されている。この第一棹部材７１７は、その一端側が、支持シャフト６９０の後側に配置された第二装飾可動体ソレノイド７１１のプランジャ７１０よりも更に後側の位置でブッシュ固定部材６９５に軸支されると共に、他端側が支持シャフト６９０よりも前側に位置するように配置されている。なお、支持シャフト６９０は、その端部にリンク機構７１２の第二棹部材７１９が固定されることで、軸方向への移動が阻止されて、支持ブッシュ６９１から抜けないようになっている。
【０２０６】
この第二装飾可動体ユニット４３３では、リンク機構７１２によって、第二装飾可動体ソレノイド７１１のプランジャ７１０を前進（突出）させると、リンク機構７１２及び支持シャフト６９０を介して第二装飾可動体４３２の先端（前側）が上がるように回動し、プランジャ７１０を後退（没入）させると、リンク機構７１２及び支持シャフト６９０を介して第二装飾可動体の先端が下がるように回動するようになっている。
【０２０７】
なお、第二昇降部材６３０の本体部６９４には、挿通孔６９３の前面側に駆動ベルト６４０を固定するベルト固定部６４１が取付けられていると共に、挿通孔６９３の後面側にブッシュ固定部材６９５を挟んで第二回転防止手段６５０の案内部材６５２が取付けられている。また、図中符号７３０は、本体部６９４の前側に取付けられる装飾体である。
【０２０８】
また、第二昇降部材６３０には、そのブッシュ固定部材６９５の正面視左側に位置検出片７３１が設けられていると共に、第二下部支持部材６３３の所定位置には位置検出片７３１を検出可能な第二装飾可動体位置検出センサ７３２が取付けられている。本例では、第二昇降部材６３０が下側端に位置した時に、第二装飾可動体位置検出センサ７３２によって第二昇降部材６３０の位置検出片７３１が検出されるようになっている。
【０２０９】
この第二昇降部材６３０は、図示するように、案内レール６３１を挿通する挿通孔６９３の正面視右側に支持シャフト６９０を大きく延びださせて第二装飾可動体４３２を支持すると共に、挿通孔６９３の左側に第二装飾可動体ソレノイド７１１を配置して、挿通孔６９３を挟んで、第二昇降部材６３０の左右の重量バランスのアンバランスが少なくなるようになっており、案内レール６３１や支持ブッシュ６９２が偏摩耗するのを抑制するようにしている。
【０２１０】
次に、第二装飾可動体ユニット４３３のユニット装飾体６１１は、図示するように、第二装飾可動体駆動ユニット６１０の正面視右側面に取付けられ、第二装飾可動体駆動ユニット６１０の案内レール６３１、駆動プーリ６３８、従動プーリ６３９、駆動ベルト６４０、及びテンション機構６５３等が遊技盤５の前側から視認し難くなるように、それらを覆うと共に、表面の装飾により第二装飾可動体ユニット４３３を装飾するものである。このユニット装飾体６１１には、第二装飾可動体駆動ユニット６１０から延びる支持シャフト６９０が通過可能とされていると共に、支持シャフト５９０が上下方向に移動できるように、上下方向に延びた開口部７３３を備えている。
【０２１１】
本例の第二装飾可動体ユニット４３３は、第二駆動モータ６３７の回転駆動により、第二昇降部材６３０、つまり、第二装飾可動体４３２を上下方向に移動させることができると共に、第二装飾可動体ソレノイド７１１により第二装飾可動体４３２の先端を上下方向に回動させることができるようになっている。
【０２１２】
続いて、装飾可動体ユニットカバー４３５は、第一装飾可動体ユニット４３１及び第二装飾可動体ユニット４３３を取付固定するための取付部７５０が複数備えられており、この取付部７５０は、夫々ビス孔と位置決めボスとから構成されている。一方、第一装飾可動体ユニット４３１の第一ベース４７５、及び第二装飾可動体ユニット４３３の第二ベース６３５の対応する位置には、ビス挿通孔と位置決め孔とが夫々形成されており、取付部７５０の位置決めボスを、第一ベース４７５又は第二ベース６３５の対応する位置決め孔に嵌合させることで、取付部７５０のビス孔と第一ベース４７５又は第二ベース６３５のビス挿通孔とが略一致するようになっており、第一ベース４７５又は第二ベース６３５のビス挿通孔を貫通するように前側からビスをビス孔にねじ込むことで、装飾可動体ユニットカバー４３５の所定位置に第一装飾可動体ユニット４３１及び第二装飾可動体ユニット４３３が取付けられるようになっている。
【０２１３】
また、装飾可動体ユニットカバー４３５には、遊技盤ベース２１２の後面と当接し、ビスを挿通可能なビス孔７５１を有した当接面７５２が複数形成されており、この当接面７５２を遊技盤ベース２１２の後面に当接させた上で、図示しないビスを当接面７５２の後側からビス孔７５１を介して遊技盤ベース２１２にねじ込むことで装飾可動体ユニットカバー４３５を遊技盤ベース２１２に取付けられるようになっている。
【０２１４】
なお、本例の装飾可動体ユニットカバー４３５は、第一装飾可動体ユニット４３１及び第二装飾可動体ユニット４３３を取付けた状態では、それらの第一ベース４７５及び第二ベース６３５における取付当接面４７４，６３４の取付孔５１２，６７２が、装飾可動体ユニットカバー４３５の外周よりも外側に位置するようになっている。これにより、第一装飾可動体ユニット４３１及び第二装飾可動体ユニット４３３は、装飾可動体ユニットカバー４３５に取付けられた状態で、それらの第一ベース４７５及び第二ベース６３５の取付孔５１２，６７２を介して図示しないビスにより直接遊技盤ベース２１２の後面側に取付けられるようになっている。
【０２１５】
また、装飾可動体ユニットカバー４３５には、第一装飾可動体駆動ユニット４５０及び第二装飾可動体駆動ユニット６１０の後側と対向する所定の位置に、配線保持手段７７０が夫々備えられている。この配線保持手段７７０は、第一昇降部材４７０に支持される発光基板４５７、及び第二昇降部材６３０に支持される発光基板６１５と接続される複数の配線コード７７１の所定位置に固定された配線バンド７７２を保持して、第一昇降部材４７０や第二昇降部材６３０が上下動する際に、それらの発光基板４５７，６１５に接続された配線コード７７１が他の部材に絡まったり、挟まったりしないようにするためのものである。
【０２１６】
この配線保持手段７７０は、具体的には図５２に示すように、配線コード７７１の端部（先端部）に取付けられる接続コネクタ７７８が通過可能な貫通口からなるコネクタ通過部７７３と、コネクタ通過部７３３に隣接して設けられ配線コード７７１に固定された配線バンド７７２が通過不能且つ配線コード７７１のみが通過可能とされた第一通過部７７４と、第一通過部７７４に隣接して設けられ配線コード７７１に固定された配線バンド７７２が通過不能且つ配線コード７７１のみが通過可能とされた第二通過部７７５とから構成されている。これら第一通過部７７４、及び第二通過部７７５は、細長いスリット状に形成されていると共に、互いに略平行となるように配置されている。
【０２１７】
また、配線保持手段７７０には、第一通過部７７４と、第二通過部７７５とを連通すると共に、配線コード７７１が通過可能とされた連通部７７６と、連通部７７６に臨み第一通過部７７４と第二通過部７７５との間に配置され第一通過部７７４及び第二通過部７７５の開口面に対して略直角方向に突出する突出部７７７とを更に備えている。なお、本例では、連通部７７６は、配線コード７７１に固定された配線バンド７７２が通過可能な大きさとされていると共に、突出部７７７は、装飾可動体ユニットカバー４３５の前側と後側の両側に、夫々突出するように備えられている。
【０２１８】
この配線保持手段７７０は、所定の位置に配線バンド７７２が固定された配線コード７７１を、第一装飾可動体ユニット４３１及び第二装飾可動体ユニット４３３の配置される前側から、後側へそのコネクタ通過部７７３を通過するように挿通させる。続いて、挿通した配線コード７７１の配線バンド７７２よりも基端側を、連通部７７６を介して第一通過部７７４に、装飾可動体ユニットカバー４３５の後側から前側へ通過させ、更に配線バンド７７２の先端側を、同じく連通部７７６を介して第二通過部７７５に、装飾可動体ユニットカバー４３５の前側から後側に通過させる。そして、配線コード７７１に固定された配線バンド７７２を第一通過部７７４の開口部と当接（装飾可動体ユニットカバー４３５の前側と当接）させると共に、第一通過部７７４と第二通過部７７５との間で配線コード７７１が弛まないようにすることで、配線コード７７１をその基端側から引張っても、配線バンド７７２から接続コネクタ７７８側（先端側）が動かないように保持することができるようになっている。
【０２１９】
なお、配線保持手段７７０には、突出部７７７が備えられているので、スリット状の第一通過部７７４及び第二通過部７７５に沿って配線コード７７１が移動しても、突出部７７７によりその移動が規制されるので、配線コード７７１が連通部７７６を介して第一通過部７７４及び第二通過部７７５から外れるのを防止することができるようになっている。
【０２２０】
また、図５２（Ｂ）に示すように、配線コード７７１の第一昇降部材４７０又は第二昇降部材６３０と配線保持手段７７０により保持された間で、第一昇降部材４７０又は第二昇降部材６３０が最も降下した時に弛んだ配線コード７７１の最下部付近の位置に配線バンド７７２が固定されている。この位置に固定された配線バンド７７２によって、配線コード７７１に曲がる契機を与えることができ、第一昇降部材４７０又は第二昇降部材６３０の移動により無用な位置で配線コード７７１が曲がって、移動の妨げとなるのを防止すことができるようになっている。また、配線コード７７１の先端に備えられた接続コネクタ７７８は、装飾可動体ユニットカバー４３５の後面に取付けられ中継基板７７９に接続されている。
【０２２１】
［主基板及び周辺基板の機能的な構成について］  図５３に基づき説明する。
図５３は、制御構成を概略的に示すブロック図である。本例のパチンコ機１の制御は、大きく分けて主基板８１０のグループと周辺基板８１１のグループとで分担されており、このうち主基板８１０のグループが遊技動作（入賞検出や当り判定、特別図柄表示、賞球払出等）を制御しており、周辺基板８１１のグループが演出動作（発光装飾や音響出力、液晶表示等）を制御している。
【０２２２】
主基板８１０は、主制御基板９４と払出制御基板１３３とから構成されている。主制御基板９４は、中央演算装置としてのＣＰＵ８１２、読み出し専用メモリとしてのＲＯＭ８１３、読み書き可能メモリとしてのＲＡＭ８１４を備えている。ＣＰＵ８１２は、ＲＯＭ８１３に格納されている制御プログラムを実行することによりパチンコ機１で行われる各種遊技を制御したり、周辺基板８１１や払出制御基板１３３に出力するコマンド信号を作成したりする。ＲＡＭ８１４には、主制御基板９４で実行される種々の処理において生成される各種データや入力信号等の情報が一時的に記憶される。
【０２２３】
この主制御基板９４には、通過検出センサ２３９、第一始動口センサ４１６、第二始動口センサ３５８、大入賞口センサ３７０、一般入賞口センサ４１７（右一般入賞口センサ４１７ａ，左一般入賞口センサ４１７ｂ）等からの検出信号が入力される。一方、主制御基板９４は、始動口ソレノイド３５２、アタッカソレノイド３７２、特別図柄表示器３９０、保留ランプ３９１等へ駆動信号を出力する。また、払出制御基板１３３は、中央演算装置としてのＣＰＵ８１５、読み出し専用メモリとしてのＲＯＭ８１６、読み書き可能メモリとしてのＲＡＭ８１７を備えている。そして、払出制御基板１３３は、主制御基板９４から入力したコマンド信号を処理し、球払出装置１２５に駆動信号を出力する。これにより、球払出装置１２５は、駆動信号に従って遊技球を払い出す。
【０２２４】
主制御基板９４と払出制御基板１３３との間では、それぞれの入出力インタフェースを介して双方向通信が実施されており、例えば主制御基板９４が賞球コマンドを送信すると、これに応えて払出制御基板１３３から主制御基板９４にＡＣＫ信号が返される。
【０２２５】
一方、周辺基板８１１には、副制御基板９２を含むサブ統合基板８３０のほかに例えば複数の電飾制御基板８３１，８３２や波形制御基板８３３等が含まれる。上記の主制御基板９４とサブ統合基板８３０との間では、それぞれの入出力インタフェースと入力インタフェースとの間で一方向だけの通信が行われており、主制御基板９４からサブ統合基板８３０へのコマンドの送信はあっても、その逆は行われない。
【０２２６】
サブ統合基板８３０もまた、ＣＰＵ８３４をはじめＲＯＭ８３５やＲＡＭ８３６等の電子部品を有しており、これら電子部品によって所定の演出制御プログラムを実行することができる。サブ統合基板８３０とその他の電飾制御基板８３１，８３２や波形制御基板８３３との間では、それぞれの入出力インタフェースとの間で双方向に通信が行われる。
【０２２７】
１つ目の電飾制御基板８３１には主にサイド装飾装置５２、主役物２１３、遊技領域内装飾体２１５、後装飾体２１６等に含まれる装飾ランプ８３７が接続されており、サブ統合基板８３１から電飾制御基板８３１に対して装飾ランプ８３７の点灯信号が送信されると、これを受けて電飾制御基板８３１が装飾ランプ８３７を点灯させる処理を行う。
【０２２８】
また、電飾制御基板８３１には、回転位置検出センサ３１９、第一装飾可動体位置検出センサ５５８、第二装飾可動体位置検出センサ７３２等からの検出信号が入力される。一方、電飾制御基板８３１は、可動装飾体駆動モータ３１０、第一駆動モータ４７７、第一装飾可動体ソレノイド５５１、第二駆動モータ６３７、第二装飾可動体ソレノイド７１１等へ駆動信号を出力する。この電飾制御基板８３１では、各検出センサ３１９，５５８，７３２からの検出信号に基づいて、各駆動モータ３１０，４７７，６３７の回転制御が行われる。
【０２２９】
一方、２つ目の電飾制御基板８３２には演出表示装置２１７とともに演出ランプ８３８が接続されている。例えばサブ統合基板８３０から演出表示装置２１７に対する表示コマンドが電飾制御基板８３２に送信されると、これを受けて電飾制御基板８３２は実際に演出表示装置２１７を作動させる処理を行う。
【０２３０】
波形制御基板８３３は、音響出力としての可聴音波のほか、不可聴である超音波等の波形信号を生成・送受信する処理を実行している。例えば、サブ統合基板８３０から音響出力コマンドが波形制御基板８３３に送信されると、これを受けて波形制御基板８３３は上記のスピーカ１８，５７を駆動する処理を行う。このほかにも、波形制御基板８３３には超音波送受信装置８３９が接続されており、この超音波送受信装置８３９は、複数の台間で超音波による通信を可能とする。通常、ホールの島設備には複数台のパチンコ機１が並べて設置されるが、超音波送受信装置８３９を装備しているパチンコ機１同士の間では、相互に超音波通信が可能となる。この通信機能を用いて、複数のパチンコ機１で演出動作をシンクロナイズさせたり、特定の台間で遊技情報の交換を行ったりすることができる。
【０２３１】
なお、電飾制御基板８３１，８３２、及び波形制御基板８３３にも、それぞれ中央演算装置としてのＣＰＵ８５０，８５１，８５２、読み出し専用メモリとしてのＲＯＭ８５３，８５４，８５５、及び読み書き可能メモリとしてのＲＡＭ８５６，８５７，８５８を備えている。
【０２３２】
［主役物及び後装飾体の動作について］  図５４乃至図５７に基づき説明する。
図５４は、主役物における可動装飾体が略垂直方向に回動した状態を示す遊技領域の正面図である。図５５は、図５４の状態から更に後装飾体の第一装飾可動体及び第二装飾可動体を可動させた状態を示す遊技領域の正面図である。図５６は、後装飾体の第一装飾可動体及び第二装飾可動体を可動させた状態を示す遊技領域の正面図である。図５７は、第一装飾可動体及び第二装飾可動体の可動範囲を示す説明図である。
【０２３３】
まず、電飾制御基板８３１では、パチンコ機１の電源投入時や、リセット時において、右可動装飾体２３４及び左可動装飾体２３５の回転位置を検出する左右の回転位置検出センサ３１９の検出信号の受信の有無を確認し、回転位置検出センサ３１９からの検出信号がなければ、右可動装飾体２３４及び左可動装飾体２３５が夫々水平状態となるような方向に左右の可動装飾体駆動モータ３１０を回転駆動させて、各回転位置検出センサ３１９から検出信号を受信すると、可動装飾体駆動モータ３１０の回転を停止させる。これにより、右可動装飾体２３４及び左可動装飾体２３５は図１０に示すような、略水平状態となる。
【０２３４】
その後、遊技状態の変化に伴って、サブ統合基板８３０から電飾制御基板８３１へ、可動装飾体２３４，２３５を駆動制御する所定の制御コマンドが送信されると、電飾制御基板８３１では、可動装飾体駆動モータ３１０を回転駆動させて、図５４に示すように右可動装飾体２３４及び左可動装飾体２３５が夫々垂直状態となるように回転させる。図示するように、この状態では、主役物２１３における枠状装飾体２３０の上縁部下側に、後装飾体２１６の第一装飾可動体４３０の一部が見える状態となる。
【０２３５】
なお、サブ統合基板８３０からの制御コマンドによっては、可動装飾体駆動モータ３１０を短周期で正転、逆転を繰り返させて、可動装飾体２３４，２３５がブルブル振動するように駆動することもできるようになっている。
【０２３６】
この状態で、サブ統合基板８３０から電飾制御基板８３１へ、後装飾体２１６の第一装飾可動体４３０及び第二装飾可動体４３２を駆動制御する所定の制御コマンドが送信されると、電飾制御基板８３１では、第一装飾可動体４３０及び第二装飾可動体４３２が互いに接近する方向に第一駆動モータ４７７及び第二駆動モータ６３７を回転駆動させて、演出表示装置２１７の前面に第一装飾可動体４３０及び第二装飾可動体４３１が位置するように移動させる（図５５参照）。なお、これら第一装飾可動体４３０及び第二装飾可動体４３１は、サブ統合基板８３０からの制御コマンドに応じて、適宜、互いに接近したり、離反したりするように駆動され、第一装飾可動体４３０と第二装飾可動体４３１とで表現される所定のキャラクタの口がパクパクと開閉するような動作をさせることができるようになっている。
【０２３７】
また、サブ統合基板８３０からの制御コマンドに応じて、電飾制御基板８３１では、第一装飾可動体ソレノイド５５１及び第二装飾可動体ソレノイド７１１を駆動させて、第一装飾可動体４３０及び第二装飾可動体４３１を夫々左右方向に延びる軸周りに回転させることで、第一装飾可動体４３０においてはその顔を前後に回動させると共に、第二装飾可動体４３２においてはその下顎を前後に回動させ、キャラクタの口の動作をよりリアルな動作となるようにしている。
【０２３８】
なお、図５５に示すように、下方に移動した第一装飾可動体４３０は、その左右両端が右可動装飾体２３４及び左可動装飾体２３５によって遮られるので、あたかも第一装飾可動体４３０が宙に浮いているように見せることができるようになっている。また、第二装飾可動体４３０では、第二装飾可動体ユニット４３３の第二昇降部材６３０に取付けられた装飾体７３０によって、第二装飾可動体４３２を支持する支持シャフト６９０が隠蔽されている。
【０２３９】
また、サブ統合基板８３０からの制御コマンドによっては、図５６に示すように、第一装飾可動体４３０及び第二装飾可動体４３１のみを駆動することもできるようになっている。なお、第一装飾可動体４３０を備えた第一装飾可動体ユニット４３１の第一昇降部材４７０に取付けられた装飾体５５６によって、第一装飾可動体４３０を支持する支持シャフト５３０が隠蔽されており、見栄えを良くして意匠性が高められるようになっている。
【０２４０】
なお、第一装飾可動体４３０及び第二装飾可動体４３２の可動範囲は、図５７に示すように、夫々ＲＬ３及びＬＬ３の範囲内で上下方向に移動するようになっている。また、第一昇降部材４７０及び第二昇降部材６３０における上下方向の寸法ＲＬ１及びＬＬ１は、夫々案内レール４７１，６３１の有効長ＲＬ２及びＬＬ２から、上述の第一装飾可動体４３０及び第二装飾可動体４３２の移動距離ＲＬ３及びＬＬ３を夫々減算した値とおおよそ同じ値とされており、第一昇降部材４７０及び第二昇降部材６３０における上下方向の寸法つまり夫々に保持される二つの支持ブッシュ５３２，６９２の間隔を、第一昇降部材４７０及び第二昇降部材６３０の移動距離に対して可及的に大きい距離とされており、第一昇降部材４７０及び第二昇降部材６３０のガタツキを可及的に少なくして第一装飾可動体４３０及び第二装飾可動体４３２を安定した状態で移動させることができるようになっている。
【０２４１】
このように、本実施形態のパチンコ機１によると、ＬＥＤ４５６、レンズ部４５２、及び遮光性の高い部材からなる発光基板４５７より主に構成される比較的シンプルな構成の第一装飾可動体４３０が具備され、ＬＥＤ４５６から投光される光の色を変化させるだけで、様々な表示態様（「三日月状の模様」、「所定の漢字」等）を表示することが可能である。さらに、レンズ部４５２を構成する赤色部４６０及び青色部４６１は、互いに同一面上に重複して配置される重複部が、白色部４５９として構成され、赤色及び青色を夫々透過可能である。従って、比較的簡易な構造を用いて赤色及び青色に対応する夫々の表示態様（「三日月状の模様」及び「所定の漢字」）を明瞭に表示することが可能となっている。
【０２４２】
さらに、本実施形態のパチンコ機１によると、発光基板４５７の裏側に遮光性の高い黒色塗料や黒色フィルム等からなる遮光部材が備えられている。従って、演出表示装置２１７から照射される光がレンズ部４５２に投光されることを防ぐことができ、所望の表示態様を所望の表示タイミングで明瞭に表示することができる。加えて、色の三原色を発光させる発光手段がＬＥＤ４５６から構成されていることにより、比較的他の色の波長成分を低減させることが容易で、表示内容を直感的に伝達させやすい第一装飾可動体４３０とすることができる。これにより、遊技者がストレスを感じ難く、遊技内容に関する興趣や注目度を低減させないばかりか一層向上させることが可能なパチンコ機１を提供することができる。
【０２４３】
一方、後装飾体２１６がキャラクタ体で構成されているから、遊技内容とキャラクタ体とが関連付けやすく、コミカルで親しみやすいパチンコ機１を提供できる。また、赤色部４６０及び青色部４６１が、黒色部４６２を背景とする同一面上に形成されていることにより、レンズ部４５２の背面にある部材（例えばＬＥＤ４５６や発光基板４５７）を見え難くすることができる。
【０２４４】
さらに、白色の部材を背景とする場合に比べて、光が透過することによって表示される表示態様、つまり発光によって表示される表示態様を効果的に浮かび上がらせることができ、よりインパクトの強い華やかな第一装飾可動体４３０を提供することができる。特に、第一装飾可動体４３０をキャラクタ体の一部に備え、サングラス４５３の中に適用していることで、黒色部４６２を生かした面白味の強いコミカルな演出を実現している。
【０２４５】
また、可動部材である第一装飾可動体４３０として構成していることにより、サングラス４５３内の表示領域に囚われずに自由度の高い演出を行うことが可能となる。特に、本実施形態のパチンコ機１によれば、第一装飾可動体４３０は、ＬＥＤ４５６、レンズ部４５２、及び遮光性の高い部材からなる発光基板４５７より主に構成される比較的シンプルな構成を呈し、さらに赤色部４６０及び青色部４６１が同一面上にコンパクトに形成されている。従って、可動体に好適に配置可能であるため、バラエティに富む演出を提供でき、広い年代層に受け入れられ易いパチンコ機１が提供できる。
【０２４６】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０２４７】
すなわち、上記実施形態では、光学表示装置を第一装飾体４３０に適用した例を示したが、これに限定するものではなく、第二装飾可動体４３２、遊技盤ベース２１２、及び主役物２１３等に適用しても良く、上記と同様の作用効果を奏することができる。
【０２４８】
また、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。
【符号の説明】
【０２４９】
１  パチンコ機
５  遊技盤
２１６  後装飾体
２１７  演出表示装置
２３０  枠状装飾体
２３１  キャラクタ体
２３２  装飾部材
２３３  隔壁板
２９０  文字部
２９１  装飾部
２９２  本体部
２９３  ＬＥＤ
２９４  発光基板
４５６  ＬＥＤ（発光手段）
４５７  発光基板（遮光手段）
４５８  ベース部材
４５９  白色部（重複部）
４６０  赤色部（第一透過手段）
４６１  青色部（第二透過手段）
４６２  黒色部（遮光性の部材）
【図１】
0005334143.tif 000002
【図２】
0005334143.tif 000003
【図３】
0005334143.tif 000004
【図４】
0005334143.tif 000005
【図５】
0005334143.tif 000006
【図６】
0005334143.tif 000007
【図７】
0005334143.tif 000008
【図８】
0005334143.tif 000009
【図９】
0005334143.tif 000010
【図１０】
0005334143.tif 000011
【図１１】
0005334143.tif 000012
【図１２】
0005334143.tif 000013
【図１３】
0005334143.tif 000014
【図１４】
0005334143.tif 000015
【図１５】
0005334143.tif 000016
【図１６】
0005334143.tif 000017
【図１７】
0005334143.tif 000018
【図１８】
0005334143.tif 000019
【図１９】
0005334143.tif 000020
【図２０】
0005334143.tif 000021
【図２１】
0005334143.tif 000022
【図２２】
0005334143.tif 000023
【図２３】
0005334143.tif 000024
【図２４】
0005334143.tif 000025
【図２５】
0005334143.tif 000026
【図２６】
0005334143.tif 000027
【図２７】
0005334143.tif 000028
【図２８】
0005334143.tif 000029
【図２９】
0005334143.tif 000030
【図３０】
0005334143.tif 000031
【図３１】
0005334143.tif 000032
【図３２】
0005334143.tif 000033
【図３３】
0005334143.tif 000034
【図３４】
0005334143.tif 000035
【図３５】
0005334143.tif 000036
【図３６】
0005334143.tif 000037
【図３７】
0005334143.tif 000038
【図３８】
0005334143.tif 000039
【図３９】
0005334143.tif 000040
【図４０】
0005334143.tif 000041
【図４１】
0005334143.tif 000042
【図４２】
0005334143.tif 000043
【図４３】
0005334143.tif 000044
【図４４】
0005334143.tif 000045
【図４５】
0005334143.tif 000046
【図４６】
0005334143.tif 000047
【図４７】
0005334143.tif 000048
【図４８】
0005334143.tif 000049
【図４９】
0005334143.tif 000050
【図５０】
0005334143.tif 000051
【図５１】
0005334143.tif 000052
【図５２】
0005334143.tif 000053
【図５３】
0005334143.tif 000054
【図５４】
0005334143.tif 000055
【図５５】
0005334143.tif 000056
【図５６】
0005334143.tif 000057
【図５７】
0005334143.tif 000058
【図５８】
0005334143.tif 000059